(57)【要約】【課題】  携帯情報装置と画像処理装置とを連携させて処理させる操作を容易にする。【解決手段】  携帯情報装置は、カメラと、カメラを制御する撮像制御部２５１と、ＭＦＰを遠隔操作する遠隔操作部２５３と、を備え、ＭＦＰは、画像データを処理する画像処理部と、携帯情報装置から受信される遠隔操作指令に従って、画像処理部を制御する遠隔制御部と、を備え、遠隔操作部２５３は、撮像制御部２５１と連携している連携状態であることを、ＭＦＰに通知する連携通知部２７７を含み、撮像制御部２５１は、遠隔操作部２５３がＭＦＰを遠隔制御している間は、カメラ２０２が出力する画像データをＭＦＰに送信する送信部２６３を含み、遠隔制御部は、連携状態が通知された後は、画像処理部に入力するデータの入力ソースを携帯情報装置とする外部入力モードに入力モードを切り換える。【選択図】        図６
2014064151.tif 000002
【特許請求の範囲】
【請求項１】
携帯情報装置と画像処理装置とを備えた画像処理システムであって、
前記携帯情報装置は、被写体を撮像する撮像手段と、
前記撮像手段を制御する撮像制御手段と、
前記画像処理装置を遠隔操作する遠隔操作手段と、を備え、
前記画像処理装置は、
画像データを処理する画像処理手段と、
前記携帯情報装置から受信される遠隔操作指令に従って、前記画像処理手段を制御する遠隔制御手段と、を備え、
前記遠隔操作手段は、前記撮像制御手段と連携している連携状態であることを、前記画像処理装置に通知する連携通知手段を含み、
前記撮像制御手段は、前記遠隔操作手段が前記画像処理装置を遠隔制御している間は、前記撮像手段が被写体を撮像して出力する画像データを前記画像処理装置に送信する送信手段を含み、
前記遠隔制御手段は、前記連携状態が通知された後は、前記画像処理手段に入力するデータの入力ソースを前記携帯情報装置とする外部入力モードに入力モードを切り換える入力モード切換手段を含む、画像処理システム。
【請求項２】
前記遠隔操作手段は、前記連携状態において、前記画像処理装置に処理を実行させる実行指示を受け付ける場合、前記撮像制御手段に撮像指令を出力する撮像指令出力手段を含み、
前記撮像制御手段は、前記撮像指令が入力されることに応じて、前記撮像手段に被写体を撮像させる、請求項１に記載の画像処理システム。
【請求項３】
前記画像処理装置は、原稿を読み取って画像データを出力する原稿読取手段と、
画像データの画像を形成する画像形成手段と、をさらに備え、
前記実行指示は、前記原稿読取手段が原稿を読み取って出力する画像データの画像を前記画像形成手段に画像形成させるコピー処理を前記画像処理装置に実行させるコピー開始指示を含む、請求項２に記載の画像処理システム。
【請求項４】
前記遠隔制御手段は、前記入力モードを前記外部入力モードでない内部入力モードに切り換えている間は、前記携帯情報装置から受信される遠隔操作指令が前記コピー開始指示の場合、前記原稿読取手段に原稿を読み取らせ、前記画像形成手段に前記原稿読取手段が原稿を読み取って出力する画像データの画像を形成させ、前記入力モードを前記外部入力モードに切り換えている間は、前記携帯情報装置から受信される遠隔操作指令が前記コピー開始指示の場合、前記原稿読取手段に原稿を読み取らせることなく前記携帯情報装置から受信される画像データの画像を前記画像形成手段に形成させる、請求項３に記載の画像処理システム。
【請求項５】
前記撮像制御手段は、ユーザーにより入力される撮像指示を受け付ける撮像指示受付手段を含み、前記撮像指示が受け付けられることに応じて、前記撮像手段に被写体を撮像させる、請求項１に記載の画像処理システム。
【請求項６】
前記遠隔制御手段は、前記入力モードを前記外部入力モードに切り換えている間は、前記携帯情報装置から画像データが受信されることに応じて、前記受信された画像データを前記画像処理手段に処理させる、請求項５に記載の画像処理システム。
【請求項７】
前記撮像制御手段は、ユーザーが前記撮像手段を操作するための撮像操作画面を表示する撮像操作画面表示手段を含み、
前記遠隔操作手段は、前記画像処理装置を遠隔操作するための遠隔操作画面を表示する遠隔操作画面表示手段と、
前記連携状態において、前記遠隔操作画面と前記撮像操作画面とを並べて表示する連携操作画面表示手段と、を含む、請求項１〜６のいずれかに記載の画像処理システム。
【請求項８】
前記送信手段は、前記撮像手段が被写体を撮像して画像データを出力することに応じて、前記画像データを前記画像処理装置に送信する、請求項１〜７のいずれかに記載の画像処理システム。
【請求項９】
前記撮像制御手段は、前記撮像手段が被写体を撮像して出力する画像データを記憶手段に記憶し、
前記遠隔操作手段は、前記連携状態において、前記撮像手段より被写体が撮像されることに応じて、前記画像処理装置に処理を実行させる実行指示を示す遠隔操作指令を送信し、
前記遠隔制御手段は、前記連携状態が通知された後は、前記実行指示を示す遠隔操作指令が受信されると、前記携帯情報装置の前記記憶手段に記憶された画像データを取得する撮像画像取得手段を含み、
前記送信手段は、前記遠隔操作手段が前記画像処理装置を遠隔制御している間は、前記画像形成装置から取得要求を受信することに応じて、前記記憶手段に記憶された画像データを前記画像処理装置に送信する、請求項１〜７のいずれかに記載の画像処理システム。
【請求項１０】
画像処理装置を遠隔操作可能な携帯情報装置であって、
被写体を撮像する撮像手段と、
前記撮像手段を制御する撮像制御手段と、
前記画像処理装置を遠隔操作する遠隔操作手段と、を備え、
前記遠隔操作手段は、前記画像形成装置が処理対象とするデータの入力ソースを前記携帯情報装置に切り換えさせるために、前記撮像制御手段と連携している連携状態であることを、前記画像処理装置に通知する連携通知手段を含み、
前記撮像制御手段は、前記遠隔操作手段が前記画像処理装置を遠隔制御している間は、前記撮像手段が被写体を撮像して出力する画像データを前記画像処理装置に処理させるために、前記画像データを前記画像処理装置に送信する送信手段を含む、携帯情報装置。
【請求項１１】
前記遠隔操作手段は、前記連携状態において、前記画像処理装置に処理を実行させる実行指示を受け付ける場合、前記撮像制御手段に撮像指令を出力する撮像指令出力手段を含み、
前記撮像制御手段は、前記撮像指令が入力されることに応じて、前記撮像手段に被写体を撮像させる、請求項１０に記載の携帯情報装置。
【請求項１２】
前記画像処理装置は、原稿を読み取って画像データを出力する原稿読取手段と、
画像データの画像を形成する画像形成手段と、を備え、
前記実行指示は、前記原稿読取手段が原稿を読み取って出力する画像データの画像を前記画像形成手段に画像形成させるコピー処理を前記画像処理装置に実行させるコピー開始指示を含む、請求項１１に記載の携帯情報装置。
【請求項１３】
前記撮像制御手段は、ユーザーにより入力される撮像指示を受け付ける撮像指示受付手段を含み、前記撮像指示が受け付けられることに応じて、前記撮像手段に被写体を撮像させる、請求項１０に記載の携帯情報装置。
【請求項１４】
前記撮像制御手段は、ユーザーが前記撮像手段を操作するための撮像操作画面を表示する撮像操作画面表示手段を含み、
前記遠隔操作手段は、前記画像処理装置を遠隔操作するための遠隔操作画面を表示する遠隔操作画面表示手段と、
前記連携状態において、前記遠隔操作画面と前記撮像操作画面とを並べて表示する連携操作画面表示手段と、を含む、請求項１０〜１３のいずれかに記載の携帯情報装置。
【請求項１５】
前記送信手段は、前記撮像手段が被写体を撮像して画像データを出力することに応じて、前記画像データを前記画像処理装置に送信する、請求項１０〜１４のいずれかに記載の携帯情報装置。
【請求項１６】
前記撮像制御手段は、前記撮像手段が被写体を撮像して出力する画像データを記憶手段に記憶し、
前記遠隔操作手段は、前記連携状態において、前記撮像手段より被写体が撮像されることに応じて、前記画像処理装置に処理を実行させる実行指示を示す遠隔操作指令を送信し、
前記送信手段は、前記遠隔操作手段が前記画像処理装置を遠隔制御している間は、前記画像形成装置からの要求に応じて、前記記憶手段に記憶された画像データを前記画像処理装置に送信する、請求項１０〜１４のいずれかに記載の携帯情報装置。
【請求項１７】
携帯情報装置と画像処理装置とを備えた画像処理システムで実行される遠隔操作方法であって、
前記携帯情報装置は、被写体を撮像する撮像手段を備え、
前記画像処理装置は、画像データを処理する画像処理手段を備え、
前記携帯情報装置に、
前記撮像手段を制御する撮像制御ステップと、
前記画像処理装置を遠隔操作する遠隔操作ステップと、を実行させ、
前記画像処理装置に、
前記携帯情報装置から受信される遠隔操作指令に従って、前記画像処理手段を制御する遠隔制御ステップを実行させ、
前記遠隔操作ステップは、前記撮像制御ステップにおいて前記撮像手段による撮像が可能な撮像可能状態であることを検出するステップと、
前記撮像可能状態が検出されている間は、前記画像処理装置に連携状態であることを通知する連携通知ステップと、を含み、
前記撮像制御ステップは、前記遠隔操作ステップにおいて前記画像処理装置を遠隔操作している遠隔操作状態であることを検出するステップと、
前記遠隔操作状態が検出されている間は、前記撮像手段が被写体を撮像して出力する画像データを前記画像処理装置に送信する送信ステップと、を含み、
前記遠隔制御ステップは、前記連携状態が通知された後は、前記画像処理手段に入力するデータの入力ソースを前記携帯情報装置とする外部入力モードに入力モードを切り換える入力モード切換ステップを含む、遠隔操作方法。
【請求項１８】
画像処理装置を遠隔操作可能な携帯情報装置で実行される遠隔操作方法であって、
前記携帯情報装置は、被写体を撮像する撮像手段を備え、
前記撮像手段を制御する撮像制御ステップと、
前記画像処理装置を遠隔操作する遠隔操作ステップと、を含み、
前記遠隔操作ステップは、前記撮像制御ステップにおいて前記撮像手段による撮像が可能な撮像可能状態であることを検出するステップと、
前記撮像可能状態が検出されている間は前記画像形成装置が処理対象とするデータの入力ソースを前記携帯情報装置に切り換えさせるために、前記画像処理装置に連携状態であることを通知する連携通知ステップと、を含み、
前記撮像制御ステップは、前記遠隔操作ステップにおいて前記画像処理装置を遠隔操作している遠隔操作状態であることを検出するステップと、
前記遠隔操作状態が検出されている間は前記撮像手段が被写体を撮像して出力する画像データを前記画像処理装置に処理させるために、前記画像データを前記画像処理装置に送信する送信ステップと、を含む、遠隔操作方法。
【請求項１９】
画像処理装置を遠隔操作可能な携帯情報装置を制御するコンピューターで実行される連携プログラムであって、
前記携帯情報装置は、被写体を撮像する撮像手段を備え、
前記撮像手段を制御する撮像制御ステップと、
前記画像処理装置を遠隔操作する遠隔操作ステップと、を前記コンピューターに実行させ、
前記遠隔操作ステップは、前記撮像制御ステップにおいて前記撮像手段による撮像が可能な撮像可能状態であることを検出するステップと、
前記撮像可能状態が検出されている間は前記画像形成装置が処理対象とするデータの入力ソースを前記携帯情報装置に切り換えさせるために、前記画像処理装置に連携状態であることを通知する連携通知ステップと、を含み、
前記撮像制御ステップは、前記遠隔操作ステップにおいて前記画像処理装置を遠隔操作している遠隔操作状態であることを検出するステップと、
前記遠隔操作状態が検出されている間は前記撮像手段が被写体を撮像して出力する画像データを前記画像処理装置に処理させるために、前記画像データを前記画像処理装置に送信する送信ステップと、を含む、連携プログラム。
【発明の詳細な説明】
【技術分野】
【０００１】
この発明は画像処理システム、携帯情報装置、遠隔操作方法および連携プログラムに関し、特に、携帯情報装置により遠隔操作される画像処理装置を含む画像処理システムおよびその携帯情報装置で実行される遠隔操作方法および連携プログラムに関する。
【背景技術】
【０００２】
従来、カメラで撮影した画像を、プリンタでプリントする場合、カメラで被写体を撮像して得られた画像データを記憶し、その後、カメラに記憶された画像データをプリンタに送信し、プリンタでプリントする手順が必要であった。例えば、特開平１０−１０８９８１号公報には、プリンタに接続されたカメラを、プリンタから遠隔操作する技術が記載されている。
【０００３】
しかしながら、カメラで被写体を撮影する操作と、撮影された画像をプリントする操作とを、別々にしなければならず、作業が煩雑になるといった問題がある。
【特許文献１】特開平１０−１０８９８１号公報
【発明の概要】
【発明が解決しようとする課題】
【０００４】
この発明は上述した問題点を解決するためになされたもので、この発明の目的の１つは、携帯情報装置と画像処理装置とを連携させて処理させる操作を容易にした画像処理システムを提供することである。
【０００５】
この発明の他の目的は、画像処理装置の遠隔操作を容易にした携帯情報装置を提供することである。
【０００６】
この発明のさらに他の目的は、携帯情報装置と画像処理装置とを連携させて処理させる操作を容易にした遠隔操作方法を提供することである。
【０００７】
この発明のさらに他の目的は、携帯情報装置における画像処理装置の遠隔操作を容易にした遠隔操作方法を提供することである。
【０００８】
この発明のさらに他の目的は、携帯情報装置における画像処理装置の遠隔操作を容易にした連携プログラムを提供することである。
【課題を解決するための手段】
【０００９】
上述した目的を達成するためにこの発明のある局面によれば、画像処理システムは、携帯情報装置と画像処理装置とを備えた画像処理システムであって、携帯情報装置は、被写体を撮像する撮像手段と、撮像手段を制御する撮像制御手段と、画像処理装置を遠隔操作する遠隔操作手段と、を備え、画像処理装置は、画像データを処理する画像処理手段と、携帯情報装置から受信される遠隔操作指令に従って、画像処理手段を制御する遠隔制御手段と、を備え、遠隔操作手段は、撮像制御手段と連携している連携状態であることを、画像処理装置に通知する連携通知手段を含み、撮像制御手段は、遠隔操作手段が画像処理装置を遠隔制御している間は、撮像手段が被写体を撮像して出力する画像データを画像処理装置に送信する送信手段を含み、遠隔制御手段は、連携状態が通知された後は、画像処理手段に入力するデータの入力ソースを携帯情報装置とする外部入力モードに入力モードを切り換える入力モード切換手段を含む。
【００１０】
この局面に従えば、携帯情報装置において、連携状態であることが画像処理装置に通知され、画像処理装置を遠隔制御している間は、被写体を撮像して出力する画像データが画像処理装置に送信され、画像処理装置において、連携状態が通知された後は、画像処理のために入力するデータの入力ソースが携帯情報装置に切り換えられる。このため、ユーザーが携帯情報装置に撮像を指示すれば、携帯情報装置で被写体を撮像した画像データが画像処理装置によって処理される。その結果、携帯情報装置と画像処理装置とを連携させて処理させる操作を容易にした画像処理システムを提供することができる。
【００１１】
好ましくは、遠隔操作手段は、連携状態において、画像処理装置に処理を実行させる実行指示を受け付ける場合、撮像制御手段に撮像指令を出力する撮像指令出力手段を含み、撮像制御手段は、撮像指令が入力されることに応じて、撮像手段に被写体を撮像させる。
【００１２】
この局面に従えば、画像処理装置に処理を実行させる実行指示を受け付ける場合、撮像手段によって被写体が撮像されるので、ユーザーは、画像処理装置に処理を実行させる操作を携帯情報装置に入力すれば、被写体を撮像して得られる画像データを画像処理装置に処理させることができる。
【００１３】
好ましくは、画像処理装置は、原稿を読み取って画像データを出力する原稿読取手段と、画像データの画像を形成する画像形成手段と、をさらに備え、実行指示は、原稿読取手段が原稿を読み取って出力する画像データの画像を画像形成手段に画像形成させるコピー処理を画像処理装置に実行させるコピー開始指示を含む。
【００１４】
この局面に従えば、画像処理装置にコピー処理を実行させるコピー開始指示が受け付けると、撮像手段によって被写体が撮像されるので、ユーザーは、画像処理装置にコピー処理を実行させる操作を携帯情報装置に入力すれば、被写体を撮像して得られる画像データを画像処理装置に処理させることができる。
【００１５】
好ましくは、遠隔制御手段は、入力モードを外部入力モードでない内部入力モードに切り換えている間は、携帯情報装置から受信される遠隔操作指令がコピー開始指示の場合、原稿読取手段に原稿を読み取らせ、画像形成手段に原稿読取手段が原稿を読み取って出力する画像データの画像を形成させ、入力モードを外部入力モードに切り換えている間は、携帯情報装置から受信される遠隔操作指令がコピー開始指示の場合、原稿読取手段に原稿を読み取らせることなく携帯情報装置から受信される画像データの画像を画像形成手段に形成させる。
【００１６】
この局面に従えば、画像処理装置にコピー処理を実行させるコピー開始指示が受け付けると、撮像手段によって被写体が撮像されるので、ユーザーは、画像処理装置にコピー開始指示を実行させる操作を携帯情報装置に入力すれば、被写体を撮像して得られる画像データの画像を画像処理装置に形成させることができる。
【００１７】
好ましくは、撮像制御手段は、ユーザーにより入力される撮像指示を受け付ける撮像指示受付手段を含み、撮像指示が受け付けられることに応じて、撮像手段に被写体を撮像させる。
【００１８】
この局面に従えば、ユーザーにより入力される撮像指示が受け付けられると、被写体が撮像させるので、ユーザーは、撮像指示を携帯情報装置に入力すれば、被写体を撮像して得られる画像データを画像処理装置に処理させることができる。
【００１９】
好ましくは、遠隔制御手段は、入力モードを外部入力モードに切り換えている間は、携帯情報装置から画像データが受信されることに応じて、受信された画像データを画像処理手段に処理させる。
【００２０】
この局面に従えば、画像処理装置は、携帯情報装置から画像データが受信されることに応じて、画像データを処理するので、ユーザーが撮像指示を携帯情報装置に入力すれば、被写体を撮像して得られる画像データを、画像処理装置に直ちに処理させることができる。
【００２１】
好ましくは、撮像制御手段は、ユーザーが撮像手段を操作するための撮像操作画面を表示する撮像操作画面表示手段を含み、遠隔操作手段は、画像処理装置を遠隔操作するための遠隔操作画面を表示する遠隔操作画面表示手段と、連携状態において、遠隔操作画面と撮像操作画面とを並べて表示する連携操作画面表示手段と、を含む。
【００２２】
この局面に従えば、遠隔操作画面と撮像操作画面とが並べて表示されるので、携帯情報装置と画像処理装置とを１つの画面で操作することができる。
【００２３】
好ましくは、送信手段は、撮像手段が被写体を撮像して画像データを出力することに応じて、画像データを画像処理装置に送信する。
【００２４】
この局面に従えば、撮像手段が被写体を撮像すると、画像データが画像処理装置に送信されるので、ユーザーは、撮像させる操作をするだけで、画像処理装置に画像データを処理させることができる。
【００２５】
好ましくは、撮像制御手段は、撮像手段が被写体を撮像して出力する画像データを記憶手段に記憶し、遠隔操作手段は、連携状態において、撮像手段より被写体が撮像されることに応じて、画像処理装置に処理を実行させる実行指示を示す遠隔操作指令を送信し、遠隔制御手段は、連携状態が通知された後は、実行指示を示す遠隔操作指令が受信されると、携帯情報装置の記憶手段に記憶された画像データを取得する撮像画像取得手段を含み、送信手段は、遠隔操作手段が画像処理装置を遠隔制御している間は、画像形成装置から取得要求を受信することに応じて、記憶手段に記憶された画像データを画像処理装置に送信する。
【００２６】
この局面に従えば、撮像手段より被写体が撮像されることに応じて、画像データが記憶されるとともに、実行指示を示す遠隔操作指令が画像処理装置に送信され、画像処理装置において、実行指示を示す遠隔操作指令が受信されると、携帯情報装置に記憶された画像データが取得され、処理が実行される。このため、ユーザーは、撮像させる操作をするだけで、画像処理装置に画像データを処理させることができる。
【００２７】
この発明の他の局面によれば、携帯情報装置は、画像処理装置を遠隔操作可能な携帯情報装置であって、被写体を撮像する撮像手段と、撮像手段を制御する撮像制御手段と、画像処理装置を遠隔操作する遠隔操作手段と、を備え、遠隔操作手段は、画像形成装置が処理対象とするデータの入力ソースを携帯情報装置に切り換えさせるために、撮像制御手段と連携している連携状態であることを、画像処理装置に通知する連携通知手段を含み、撮像制御手段は、遠隔操作手段が画像処理装置を遠隔制御している間は、撮像手段が被写体を撮像して出力する画像データを画像処理装置に処理させるために、画像データを画像処理装置に送信する送信手段を含む。
【００２８】
この局面に従えば、連携状態であることが画像処理装置に通知され、画像処理装置を遠隔制御している間は、被写体を撮像して出力する画像データを画像処理装置に処理させるために、被写体を撮像して得られる画像データが画像処理装置に送信される。このため、ユーザーが携帯情報装置に撮像を指示すれば、携帯情報装置で被写体を撮像した画像データを画像処理装置に処理させることができる。その結果、画像処理装置の遠隔操作を容易にした携帯情報装置を提供することができる。
【００２９】
好ましくは、遠隔操作手段は、連携状態において、画像処理装置に処理を実行させる実行指示を受け付ける場合、撮像制御手段に撮像指令を出力する撮像指令出力手段を含み、撮像制御手段は、撮像指令が入力されることに応じて、撮像手段に被写体を撮像させる。
【００３０】
この局面に従えば、画像処理装置に処理を実行させる実行指示を受け付ける場合、撮像手段によって被写体が撮像されるので、ユーザーは、画像処理装置に処理を実行させる操作を携帯情報装置に入力すれば、被写体を撮像して得られる画像データを画像処理装置に処理させることができる。
【００３１】
好ましくは、画像処理装置は、原稿を読み取って画像データを出力する原稿読取手段と、画像データの画像を形成する画像形成手段と、を備え、実行指示は、原稿読取手段が原稿を読み取って出力する画像データの画像を画像形成手段に画像形成させるコピー処理を画像処理装置に実行させるコピー開始指示を含む。
【００３２】
この局面に従えば、画像処理装置にコピー処理を実行させるコピー開始指示が受け付けると、撮像手段によって被写体が撮像されるので、ユーザーは、画像処理装置にコピー処理を実行させる操作を携帯情報装置に入力すれば、被写体を撮像して得られる画像データを画像処理装置に処理させることができる。
【００３３】
好ましくは、撮像制御手段は、ユーザーにより入力される撮像指示を受け付ける撮像指示受付手段を含み、撮像指示が受け付けられることに応じて、撮像手段に被写体を撮像させる。
【００３４】
この局面に従えば、ユーザーにより入力される撮像指示が受け付けられると、被写体が撮像させるので、ユーザーは、撮像指示を携帯情報装置に入力すれば、被写体を撮像して得られる画像データを画像処理装置に処理させることができる。
【００３５】
好ましくは、撮像制御手段は、ユーザーが撮像手段を操作するための撮像操作画面を表示する撮像操作画面表示手段を含み、遠隔操作手段は、画像処理装置を遠隔操作するための遠隔操作画面を表示する遠隔操作画面表示手段と、連携状態において、遠隔操作画面と撮像操作画面とを並べて表示する連携操作画面表示手段と、を含。
【００３６】
この局面によれば、遠隔操作画面と撮像操作画面とが並べて表示されるので、携帯情報装置と画像処理装置とを１つの画面で操作することができる。
【００３７】
好ましくは、
前記送信手段は、前記撮像手段が被写体を撮像して画像データを出力することに応じて、前記画像データを前記画像処理装置に送信する。
【００３８】
この局面に従えば、撮像手段が被写体を撮像すると、画像データが画像処理装置に送信されるので、ユーザーは、撮像させる操作をするだけで、画像処理装置に画像データを処理させることができる。
【００３９】
好ましくは、
前記撮像制御手段は、前記撮像手段が被写体を撮像して出力する画像データを記憶手段に記憶し、
前記遠隔操作手段は、前記連携状態において、前記撮像手段より被写体が撮像されることに応じて、前記画像処理装置に処理を実行させる実行指示を示す遠隔操作指令を送信し、
前記送信手段は、前記遠隔操作手段が前記画像処理装置を遠隔制御している間は、前記画像形成装置からの要求に応じて、前記記憶手段に記憶された画像データを前記画像処理装置に送信する。
【００４０】
この局面に従えば、撮像手段より被写体が撮像されることに応じて、画像データが記憶されるとともに、実行指示を示す遠隔操作指令が画像処理装置に送信され、画像形成装置からの要求に応じて、画像データを送信する。このため、ユーザーは、撮像させる操作をするだけで、画像処理装置に画像データを処理させることができる。
【００４１】
この発明のさらに他の局面によれば、遠隔操作方法は、携帯情報装置と画像処理装置とを備えた画像処理システムで実行される遠隔操作方法であって、携帯情報装置は、被写体を撮像する撮像手段を備え、画像処理装置は、画像データを処理する画像処理手段を備え、携帯情報装置に、撮像手段を制御する撮像制御ステップと、画像処理装置を遠隔操作する遠隔操作ステップと、を実行させ、画像処理装置に、携帯情報装置から受信される遠隔操作指令に従って、画像処理手段を制御する遠隔制御ステップを実行させ、遠隔操作ステップは、撮像制御ステップにおいて撮像手段による撮像が可能な撮像可能状態であることを検出するステップと、撮像可能状態が検出されている間は、画像処理装置に連携状態であることを通知する連携通知ステップと、を含み、撮像制御ステップは、遠隔操作ステップにおいて画像処理装置を遠隔操作している遠隔操作状態であることを検出するステップと、遠隔操作状態が検出されている間は、撮像手段が被写体を撮像して出力する画像データを画像処理装置に送信する送信ステップと、を含み、遠隔制御ステップは、連携状態が通知された後は、画像処理手段に入力するデータの入力ソースを携帯情報装置とする外部入力モードに入力モードを切り換える入力モード切換ステップを含む。
【００４２】
この局面に従えば、携帯情報装置と画像処理装置とを連携させて処理させる操作を容易にした遠隔操作方法を提供することができる。
【００４３】
この発明のさらに他の局面によれば、遠隔操作方法は、画像処理装置を遠隔操作可能な携帯情報装置で実行される遠隔操作方法であって、携帯情報装置は、被写体を撮像する撮像手段を備え、撮像手段を制御する撮像制御ステップと、画像処理装置を遠隔操作する遠隔操作ステップと、を含み、遠隔操作ステップは、撮像制御ステップにおいて撮像手段による撮像が可能な撮像可能状態であることを検出するステップと、撮像可能状態が検出されている間は画像形成装置が処理対象とするデータの入力ソースを携帯情報装置に切り換えさせるために、画像処理装置に連携状態であることを通知する連携通知ステップと、を含み、撮像制御ステップは、遠隔操作ステップにおいて画像処理装置を遠隔操作している遠隔操作状態であることを検出するステップと、遠隔操作状態が検出されている間は撮像手段が被写体を撮像して出力する画像データを画像処理装置に処理させるために、画像データを画像処理装置に送信する送信ステップと、を含む。
【００４４】
この局面に従えば、携帯情報装置における画像処理装置の遠隔操作を容易にした遠隔操作方法を提供することができる。
【００４５】
この発明のさらに他の局面によれば、連携プログラムは、画像処理装置を遠隔操作可能な携帯情報装置を制御するコンピューターで実行される連携プログラムであって、携帯情報装置は、被写体を撮像する撮像手段を備え、撮像手段を制御する撮像制御ステップと、画像処理装置を遠隔操作する遠隔操作ステップと、をコンピューターに実行させ、遠隔操作ステップは、撮像制御ステップにおいて撮像手段による撮像が可能な撮像可能状態であることを検出するステップと、撮像可能状態が検出されている間は画像形成装置が処理対象とするデータの入力ソースを携帯情報装置に切り換えさせるために、画像処理装置に連携状態であることを通知する連携通知ステップと、を含み、撮像制御ステップは、遠隔操作ステップにおいて画像処理装置を遠隔操作している遠隔操作状態であることを検出するステップと、遠隔操作状態が検出されている間は撮像手段が被写体を撮像して出力する画像データを画像処理装置に処理させるために、画像データを画像処理装置に送信する送信ステップと、を含む。
【００４６】
この局面に従えば、携帯情報装置における画像処理装置の遠隔操作を容易にした連携プログラムを提供することができる。
【図面の簡単な説明】
【００４７】
【図１】本発明の実施の形態の１つにおける画像処理システムの全体概要を示す図である。
【図２】ＭＦＰの外観を示す斜視図である。
【図３】ＭＦＰのハードウェア構成の概要を示すブロック図である。
【図４】携帯情報装置のハードウェア構成の概要を示す機能ブロック図である。
【図５】本実施の形態におけるＭＦＰが備えるＣＰＵの機能の概要を示すブロック図である。
【図６】本実施の形態における携帯情報装置が備えるＣＰＵの機能の概要を示すブロック図である。
【図７】撮像操作画面の一例を示す図である。
【図８】遠隔操作作画面の一例を示す図である。
【図９】連携画面の一例を示す図である。
【図１０】遠隔制御処理の流れの一例を示すフローチャートである。
【図１１】遠隔操作処理の流れの一例を示す第１のフローチャートである。
【図１２】遠隔操作処理の流れの一例を示す第２のフローチャートである。
【図１３】撮像制御処理の流れの一例を示すフローチャートである。
【図１４】変形例におけるＭＦＰが備えるＣＰＵの機能の概要を示すブロック図である。
【図１５】変形例における携帯情報装置が備えるＣＰＵの機能の概要を示すブロック図である。
【図１６】変形例における遠隔制御処理の流れの一例を示すフローチャートである。
【図１７】変形例における遠隔操作処理の流れの一例を示す第１のフローチャートである。
【図１８】変形例における遠隔操作処理の流れの一例を示す第２のフローチャートである。
【図１９】変形例における撮像制御処理の流れの一例を示すフローチャートである。
【発明を実施するための形態】
【００４８】
以下、本発明の実施の形態について図面を参照して説明する。以下の説明では同一の部品には同一の符号を付してある。それらの名称および機能も同じである。したがってそれらについての詳細な説明は繰り返さない。
【００４９】
図１は、本発明の実施の形態の１つにおける画像処理システムの全体概要を示す図である。図１を参照して、画像処理システム１は、それぞれがネットワーク２に接続された画像処理装置としてのＭＦＰ（Ｍｕｌｔｉ  Ｆｕｎｃｔｉｏｎ  Ｐｅｒｉｐｈｅｒａｌ）１００，１０１，１０２と、パーソナルコンピューター（以下「ＰＣ」という）１０５と、携帯情報装置２００と、無線局３００とを含む。
【００５０】
ＰＣ１０５は、一般的なコンピューターであり、ＭＦＰ１００，１０１，１０２を制御するためのプリンタドライバプログラムがインストールされている。なお、ＭＦＰ１００，１０１，１０２の種類が異なる場合、ＰＣ１０５には、ＭＦＰ１００，１０１，１０２を制御するための３種類のプリンタドライバプログラムがそれぞれインストールされる。
【００５１】
ＭＦＰ１００，１０１，１０２各々は、原稿を読み取るための原稿読取機能、画像データに基づいて紙などの記録媒体に画像を形成するための画像形成機能およびファクシミリデータを送受信するファクシミリ送受信機能を備えている。なお、本実施の形態においてはＭＦＰ１００，１０１，１０２を例に説明するが、ＭＦＰ１００，１０１，１０２に代えて、画像データを処理する機能を備えた装置であれば、例えば、プリンタ、ファクシミリ装置、コンピューター等であってもよい。また、ＭＦＰ１００，１０１，１０２は、機能が同じなので以下の説明では特に言及しない限りＭＦＰ１００を例に説明する。
【００５２】
携帯情報装置２００は、ここでは、一般的な携帯電話機である。携帯情報装置２００は、携帯電話用基地局と無線で通信することにより携帯電話網に接続し、通話が可能である。また、携帯情報装置２００は、無線ＬＡＮ機能を備えている。ここでは、携帯情報装置２００を、携帯電話機の場合を例に説明するが、携帯電話機に限らず、被写体を撮像する機能を備えていれば、例えば、デジタルカメラ、デジタルスチルカメラ、ＰＤＡ（Ｐｅｒｓｏｎａｌ  Ｄｉｇｉｔａｌ  Ａｓｓｉｓｔａｎｔｓ）、携帯型のコンピューターであってもよい。
【００５３】
ネットワーク２は、ローカルエリアネットワーク（ＬＡＮ）であり、接続形態は有線または無線を問わない。またネットワーク２は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク２は、インターネットなどのワイドエリアネットワーク（ＷＡＮ）に接続されている。
【００５４】
無線局３００は、ネットワーク２の中継装置であり、無線ＬＡＮ通信機能を備えた携帯情報装置２００と通信して、携帯情報装置２００をネットワーク２に接続する。ＭＦＰ１００，１０１，１０２各々は、ネットワーク２を介してＰＣ１０５とデータの送受信が可能である。また、ＭＦＰ１００，１０１，１０２各々は、ネットワーク２および無線局３００を介して携帯情報装置２００とデータの送受信が可能である。
【００５５】
図２は、ＭＦＰの外観を示す斜視図である。図３は、ＭＦＰのハードウェア構成の概要を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザーインターフェースとしての操作パネル１６０とを含む。
【００５６】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ１１８が装着される外部記憶装置１１７と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００５７】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００５８】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、表示部１６１上に設けられたタッチパネル１６５と、複数のキーからなるハードキー部１６７とを含む。操作部１６３は、表示部１６１の表示面がユーザーにより指示されると、表示部１６１に表示された画像中でユーザーにより指示された位置に対応する操作を受け付ける。また、ハードキー部１６７に含まれる複数のキーのうちユーザーにより指示されたキーに対応するユーザーの操作を受け付ける。
【００５９】
通信Ｉ／Ｆ部１１２は、ＭＦＰ１００をネットワーク２に接続するためのインターフェースである。ＣＰＵ１１１は、通信Ｉ／Ｆ部１１２を介してＭＦＰ１０１，１０２、ＰＣ１０５または携帯情報装置２００との間で通信し、データを送受信する。また、通信Ｉ／Ｆ部１１２は、ネットワーク２を介してインターネットに接続されたコンピューターと通信が可能である。
【００６０】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００６１】
外部記憶装置１１７は、ＣＤ−ＲＯＭ１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００６２】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワーク２に接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワーク２に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００６３】
本実施の形態における画像処理システム１において、ＭＦＰ１００，１０１，１０２および携帯情報装置２００間で、データが送受信される。データを送受信するプロトコルは、受信側の装置において送信元を特定することができれば、任意のプロトコルを用いることが可能である。データを送受信するプロトコルは、例えばＨＴＴＰ（ＨｙｐｅｒＴｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）およびＳＭＰＴ（Ｓｉｍｐｌｅ  Ｍａｉｌ  Ｔｒａｎｓｆｅｒ  Ｐｒｏｔｏｃｏｌ）、ＰＯＰ（Ｐｏｓｔ  Ｏｆｆｉｃｅ  Ｐｒｏｔｏｃｏｌ）等が用いられる。
【００６４】
図４は、携帯情報装置のハードウェア構成の概要を示す機能ブロック図である。図４を参照して、携帯情報装置２００は、携帯情報装置２００の全体を制御するためのＣＰＵ２０１と、カメラ２０２と、データを不揮発的に記憶するフラッシュメモリ２０３と、通話部２０５と接続された無線通信部２０４と、情報を表示する表示部２０６と、ユーザーの操作の入力を受付ける操作部２０７と、無線ＬＡＮＩ／Ｆ２０８とを含む。
【００６５】
無線通信部２０４は、電話通信網に接続された携帯電話用基地局と無線通信する。無線通信部２０４は、携帯情報装置２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカを備え、無線通信部２０４から入力される音声をスピーカから出力し、マイクから入力される音声を無線通信部２０４に出力する。さらに、無線通信部２０４は、ＣＰＵ２０１により制御され、携帯情報装置２００を電子メールサーバに接続し、電子メールを送受信する。
【００６６】
カメラ２０２は、レンズおよび光電変換素子を備え、レンズで集光した光を光電変換素子に結像し、光電変換素子は受光した光を光電変換して画像データをＣＰＵ２０１に出力する。光電変換素子は、ＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ、ＣＣＤ（Ｃｈａｒｇｅ  Ｃｏｕｐｌｅｄ  Ｄｅｖｉｃｅ）センサ等である。
【００６７】
表示部２０６は、液晶表示装置（ＬＣＤ）、有機ＥＬＤ等の表示装置であり、ユーザーに対する指示メニューや取得した画像データに関する情報等を表示する。操作部２０７は、表示部２０６上に設けられたタッチパネルと、複数のキーからなるハードキーとを含む。操作部２０７は、表示部２０６の表示面がユーザーにより指示されると、表示部２０６に表示された画像中でユーザーにより指示された位置に対応する操作を受け付ける。また、ハードキーがユーザーにより指示されると、指示されたハードキーに対応するユーザーの操作を受け付ける。
【００６８】
無線ＬＡＮＩ／Ｆ２０８は、無線局３００と通信し、携帯情報装置２００をネットワーク２に接続するためのインターフェースである。携帯情報装置２００に予めＭＦＰ１００，１０１，１０２それぞれのＩＰ（Ｉｎｔｅｒｎｅｔ  Ｐｒｏｔｏｃｏｌ）アドレスを登録しておくことにより、携帯情報装置２００は、ＭＦＰ１００，１０１，１０２と通信することができ、データの送受信が可能となる。なお、本実施の形態においては、携帯情報装置２００が無線ＬＡＮＩ／Ｆ２０８を用いて、ＭＦＰ１００，１０１，１０１と通信する場合を例に説明するが、他の通信方法を用いて通信するようにしてもよい。具体的には、携帯情報装置２００、ＭＦＰ１００，１０１，１０１が、例えばＢｌｕｅｔｏｏｔｈ（登録商標）等の近距離無線装置を搭載する場合には、携帯情報装置２００が、ＭＦＰ１００，１０１，１０２のいずれかと通信するようにしてもよい。また、携帯情報装置２００を、ＭＦＰ１００，１０１，１０２のいずれかと、例えばＵＳＢ（Ｕｎｉｖｅｒｓａｌ  Ｓｅｒｉａｌ  Ｂｕｓ）ケーブル等の有線で接続するようにし、携帯情報装置２００が、ＭＦＰ１００，１０１，１０２のいずれかと、１対１で通信するようにしてもよい。
【００６９】
フラッシュメモリ２０３は、ＣＰＵ２０１が実行するプログラム、またはそのプログラムを実行するために必要なデータを記憶する。ＣＰＵ２０１は、フラッシュメモリ２０３に記録されたプログラムを、ＣＰＵ２０１が備えるＲＡＭにロードして実行する。なお、ＣＰＵ２０１が実行するプログラムとして、フラッシュメモリ２０３に記録されたプログラムは、ネットワーク２に接続された他のコンピューターが、フラッシュメモリ２０３に記憶されたプログラムを書換えたプログラム、または、追加して書き込んだ新たなプログラムをであってもよい。さらに、携帯情報装置２００が、ネットワーク２に接続された他のコンピューターからダウンロードしたプログラムでもよい。ここでいうプログラムは、ＣＰＵ２０１が直接実行可能なプログラムだけでなく、ソースプログラム、圧縮処理されたプログラム、暗号化されたプログラム等を含む。
【００７０】
また、ＣＰＵ２０１が実行するプログラムを記憶する媒体としては、フラッシュメモリ２０３に限られず、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００７１】
図５は、本実施の形態におけるＭＦＰが備えるＣＰＵの機能の概要を示すブロック図である。図５に示す機能は、ＭＦＰ１００が備えるＣＰＵ１１１が、ＲＯＭ１１３、ＨＤＤ１１５、ＣＤ−ＲＯＭ１１８に記憶された遠隔制御プログラムを実行することにより、ＣＰＵ１１１に形成される機能である。図５を参照して、ＣＰＵ１１１は、画像処理を実行する画像処理部５１と、携帯情報装置から受信される遠隔操作指令に従って処理を実行する遠隔制御部５３と、を含む。
【００７２】
画像処理部５１は、設定値に従って処理を実行する。画像処理部５１は、画像形成部１４０および給紙部１５０を制御する画像形成制御部６１と、自動原稿搬送装置１２０および原稿読取部１３０を制御する原稿読取制御部６３と、通信Ｉ／Ｆ部１１２およびファクシミリ部１１６を制御する通信制御部６５と、ＨＤＤ１１５および外部記憶装置１１７を制御する記憶制御部６７と、を含む。
【００７３】
画像形成制御部６１は、給紙部１５０に用紙を搬送させ、画像形成部１４０に、処理対象に設定されているデータの画像を給紙部１５０が搬送する用紙に形成させる。画像形成制御部６１が処理対象とするデータは、原稿読取制御部６３、通信制御部６５、記憶制御部６７によって設定される。設定値は、給紙部１５０が搬送する用紙のサイズおよび方向、画像形成部１４０が画像を形成するための条件を定める値、例えば、カラーおよびモノクロの別、拡大率または縮小率、画像形成の枚数、画像を形成する用紙上の位置等を含む。
【００７４】
原稿読取制御部６３は、自動原稿搬送装置１２０に原稿を搬送させ、原稿読取部１３０に自動原稿搬送装置１２０が搬送する原稿の画像を読み取らせる。原稿読取制御部６３は、原稿読取部１３０が原稿を読み取って出力する画像データを処理対象に設定する。設定値は、例えば、解像度、カラーおよびモノクロの別、画像データのフォーマット等を含む。
【００７５】
通信制御部６５は、通信Ｉ／Ｆ部１１２を制御して、ネットワーク２に接続されている装置、例えば、他のＭＦＰ１０１，１０２、ＰＣ１０５または無線局３００との間で、データを送受信する。また、通信制御部６５は、ファクシミリ部１１６を制御して、ファクシミリに１１６にファクシミリデータを送受信させる。通信制御部６５が送信の対象とするデータまたはファクシミリデータは、原稿読取制御部６３、記憶制御部６７により処理対象に設定される。また、通信制御部６５は、受信されたデータまたはファクシミリデータを処理対象に設定する。設定値は、通信プロトコル、通信速度、データまたはファクシミリデータを送信する相手先の情報等を含む。
【００７６】
記憶制御部６７は、ＨＤＤ１１５に記憶されたデータ、または外部記憶装置１１７に装着されたＣＤ−ＲＯＭに記憶されたデータを読出し、読み出したデータを処理対象に設定する。また、記憶制御部６７は、処理対象に設定されたデータをＨＤＤ１１５に記憶する。なお、外部記憶装置１１７に、データを書き込み可能な記憶媒体、例えば、ＤＶＤが装着される場合は、記憶制御部６７は、処理対象に設定されたデータをＤＶＤに記憶する。設定値は、データのフォーマット、データを記憶する位置を示す情報、読み出すデータを識別するためのファイル名等のデータ識別情報等を含む。
【００７７】
遠隔制御部５３は、遠隔操作受信部７１と、連携通知受信部７３と、入力モード切換部７５と、撮像画像受信部７７と、を含む。遠隔操作受信部７１は、通信Ｉ／Ｆ部１１２が携帯情報装置２００との間の接続を確立し、携帯情報装置２００からログイン要求を受信すると、携帯情報装置２００にログイン画面を送信する。ログイン画面は、ユーザーを識別するためのユーザー識別情報を入力する領域と、認証情報を入力する領域とを含む。遠隔操作受信部７１は、ログイン画面を送信した携帯情報装置２００からユーザー識別情報と認証情報とを受信し、携帯情報装置２００を操作するユーザーを認証する。ＭＦＰ１００は、ユーザーを識別するためのユーザー識別情報と認証情報とを含むユーザーデータをＨＤＤ１１５に記憶している。遠隔操作受信部７１は、携帯情報装置２００から受信されたユーザー識別情報と認証情報とをＨＤＤ１１５に予め記憶されているユーザーデータと比較する。遠隔操作受信部７１は、両者が一致すれば認証成功と判断し、ログインを許可するが、両者が一致しなければ認証失敗と判断し、ログインを許可しない。遠隔操作受信部７１は、ログインを許可する場合は許可信号を返信し、ログインを許可しない場合は不許可信号を返信する。
【００７８】
また、遠隔操作受信部７１は、携帯情報装置２００との間の接続を確立する際に、携帯情報装置２００の装置識別情報を取得する。携帯情報装置２００の識別情報は、例えば、携帯情報装置２００に割り当てられたネットワーク２上の位置情報である。ネットワーク２上の位置情報は、例えば、ＩＰ（Ｉｎｔｅｒｎｅｔ  Ｐｒｏｔｏｃｏｌ）アドレスまたはＭＡＣ（Ｍｅｄｉａ  Ａｃｃｅｓｓ  Ｃｏｎｔｒｏｌ）アドレスである。遠隔操作受信部７１は、認証に成功する場合に、認証した携帯情報装置２００を操作するユーザーを識別するためのユーザー識別情報と携帯情報装置２００の装置識別情報との組を、連携通知受信部７３および入力モード切換部７５に出力する。
【００７９】
遠隔操作受信部７１は、携帯情報装置２００を操作するユーザーの認証に成功した後、携帯情報装置２００との間の接続が切断される場合、または、携帯情報装置２００からログアウト指令を受信する場合、ログアウト通知を、連携通知受信部７３および入力モード切換部７５に出力する。
【００８０】
本実施の形態においては、認証情報としてパスワードを用いる例を示すが、認証情報をユーザーの指紋、静脈パターン、虹彩等の生体情報を用いるようにしてもよい。この場合、携帯情報装置２００は、生体情報を読み取るための読取装置を備える。
【００８１】
遠隔操作受信部７１は、携帯情報装置２００を操作するユーザーの認証に成功した後、ログアウト指令を受信するまでの間、携帯情報装置２００から遠隔操作指令を受信する。具体的には、遠隔操作受信部７１は、通信Ｉ／Ｆ部１１２が遠隔操作指令を受信する場合、遠隔操作指令を送信してきた装置の装置識別情報を取得し、取得された装置識別情報を、先に認証に成功したユーザーが操作する装置、ここでは携帯情報装置２００の装置識別情報と比較する。遠隔操作受信部７１は、両者が同じならば、通信Ｉ／Ｆ部１１２が受信した遠隔操作指令を取得するが、両者が異なれば、通信Ｉ／Ｆ部１１２が受信した遠隔操作指令を廃棄する。これにより、認証されたユーザーが携帯情報装置２００を操作する場合に限って、遠隔操作指令を受信することができる。
【００８２】
遠隔操作受信部７１は、遠隔操作指令を受信する場合、遠隔操作指令に従って、画像処理部５１に処理を実行させる。遠隔操作指令は、画像処理部５１が処理を実行するための設定値を設定させる遠隔操作指令と、処理の実行を指示する遠隔操作指令と、を含む。
【００８３】
遠隔操作受信部７１は、設定値を設定させる遠隔操作指令を受信する場合、遠隔操作指令に含まれる設定値を設定する。具体的には、ＲＡＭ１１４に設定値を記憶する。遠隔操作受信部７１は、処理の実行を指示する遠隔操作指令を受信する場合、画像処理部５１に処理を実行させる。
【００８４】
連携通知受信部７３は、遠隔操作受信部７１からユーザー識別情報と携帯情報装置２００の装置識別情報との組が入力された後、ログアウト通知が入力されるまでの間、装置識別情報で特定される携帯情報装置２００から送信される連携通知または連携解除通知を受信する。連携通知受信部７３は、通信Ｉ／Ｆ部１１２が連携通知または連携解除通知を受信する場合、連携通知または連携解除通知を送信してきた装置の装置識別情報を取得し、遠隔操作受信部７１から入力される装置識別情報と比較する。連携通知受信部７３は、連携通知または連携解除通知を送信してきた装置の装置識別情報と遠隔操作受信部７１から入力される装置識別情報とが同じならば、通信Ｉ／Ｆ部１１２が受信した連携通知または連携解除通知を取得するが、両者が異なれば、通信Ｉ／Ｆ部１１２が受信した連携通知または連携解除通知を廃棄する。これにより、遠隔操作受信部７１によって認証されたユーザーが携帯情報装置２００を操作する場合に限って、連携通知または連携解除通知を受信することができる。
【００８５】
連携通知または連携解除通知は、後述する携帯情報装置２００が、ＭＦＰ１００に送信する信号である。ＭＦＰ１００に予め登録されたユーザーによって携帯情報装置２００が操作され、携帯情報装置２００から送信される連携通知または連携解除通知のみを受信することができる。連携通知受信部７３は、連携通知を受信すると、連携通知を受信したことを示す連携信号と携帯情報装置２００の装置識別情報との組を入力モード切換部７５に出力し、連携解除通知を受信すると、連携解除通知を受信したことを示す連携解除信号と携帯情報装置２００の装置識別情報との組を入力モード切換部７５に出力し、する。
【００８６】
入力モード切換部７５は、連携通知受信部７３から連携信号と装置識別情報との組が入力されると、画像処理部５１の入力モードを内部入力モードから外部入力モードに切り換える。入力モード切換部７５は、画像処理部５１の入力モードを外部入力モードに切り換えた後、連携通知受信部７３から連携解除信号と装置識別情報との組が入力される場合、または、遠隔操作受信部７１からログアウト通知が入力される場合、画像処理部５１の入力モードを外部入力モードから内部入力モードに切り換える。入力モードは、画像処理部５１が処理対象とするデータの入力ソースを定めるモードである。外部入力モードは、画像処理部５１が処理対象とするデータの入力ソースを通信Ｉ／Ｆ部１１２とする入力モードである。内部入力モードは、画像処理部５１が処理対象とするデータの入力ソースを、ＭＦＰ１００が備える原稿読取部１３０、ファクシミリ部１１６、ＨＤＤ１１５または外部記憶装置１１７とする入力モードである。
【００８７】
入力モード切換部７５は、画像処理部５１の入力モードを内部入力モードから外部入力モードに切り換える場合、受信開始指令を撮像画像受信部７７に出力し、画像処理部５１の入力モードを外部入力モードから内部入力モードに切り換える場合、受信終了指令を撮像画像受信部７７に出力する。受信開始指令は、連携通知受信部７３から入力される装置識別情報を含む。
【００８８】
撮像画像受信部７７は、入力モード切換部７５から受信開始指令が入力されてから受信終了指令が入力されるまでの間、通信Ｉ／Ｆ部１１２が携帯情報装置２００から画像データを受信すると、受信された画像データを画像処理部５１に出力する。撮像画像受信部７７は、通信Ｉ／Ｆ部１１２が画像データを受信する場合、受信された画像データを送信してきた装置の装置識別情報と、受信開始指令に含まれる装置識別情報とを比較する。撮像画像受信部７７は、両者が同じならば、通信Ｉ／Ｆ部１１２が受信した画像データを画像処理部５１に出力するが、両者が異なれば、通信Ｉ／Ｆ部１１２が受信した画像データを廃棄する。これにより、遠隔操作受信部７１によって認証されたユーザーが携帯情報装置２００を操作する場合に限って、携帯情報装置２００から送信される画像データを受信することができる。
【００８９】
図６は、本実施の形態における携帯情報装置が備えるＣＰＵの機能の概要を示すブロック図である。図６に示す機能は、携帯情報装置２００が備えるＣＰＵ２０１が、フラッシュメモリ２０３に記憶された撮像制御プログラムおよび遠隔操作プログラムを実行することにより、ＣＰＵ２０１に形成される機能である。撮像制御プログラムおよび遠隔操作プログラムを総称して連携プログラムという。図６を参照して、携帯情報装置２００が備えるＣＰＵ２０１は、カメラ２０２を制御する撮像制御部２５１と、ＭＦＰ１００，１０１，１０２のいずれかを遠隔操作する遠隔操作部２５３と、を含む。撮像制御部２５１は、ＣＰＵ２０１が撮像制御プログラムを実行することにより、ＣＰＵ２０１に形成される機能である。遠隔操作部２５３は、ＣＰＵ２０１が遠隔操作プログラムを実行することにより、ＣＰＵ２０１に形成される機能である。ＣＰＵ２０１が撮像制御プログラムを実行すれば撮像制御部２５１が起動し、ＣＰＵ２０１が遠隔操作プログラムを実行すれば遠隔操作部２５３が起動する。
【００９０】
撮像制御部２５１は、第１連携検出部２６１と、画像データを送信する送信部２６３と、撮像指示を受け付ける撮像指示受付部２６５と、撮像操作画面を表示する撮像画面表示部２６７と、を含む。
【００９１】
遠隔操作部２５３は、第２連携検出部２７１と、撮像指令出力部２７３と、遠隔操作を受け付ける遠隔操作受付部２７５と、連携通知部２７７と、遠隔操作画面を表示する遠隔操作画面表示部２７９と、連携画面表示部２８１と、を含む。
【００９２】
第２連携検出部２７１は、ＭＦＰ１００，１０１，１０２のうちからユーザーが選択した装置を、遠隔操作の対象となる装置として選択する。携帯情報装置２００に、遠隔操作の対象となり得る装置として、ＭＦＰ１００，１０１，１０２が予め登録されている。第２連携検出部２７１は、ＭＦＰ１００，１０１，１０２それぞれの装置識別情報を選択可能に表示する選択画面を、表示部２０６に表示する。ユーザーが選択画面に表示された装置識別情報を選択する操作を操作部２０７に入力すれば、第２連携検出部２７１は、ＭＦＰ１００，１０１，１０２のうち選択された装置識別情報の装置を、遠隔操作の対象となる装置として選択する。
【００９３】
第２連携検出部２７１は、遠隔操作の対象となる装置として選択された装置にログインする。ここでは、遠隔操作の対象となる装置として、ＭＦＰ１００がユーザーにより選択された場合を例に説明する。具体的には、無線ＬＡＮＩ／Ｆ２０８を介して、ＭＦＰ１００にログイン要求を送信する。ログイン要求を受信するＭＦＰ１００は、ログイン画面を返信するので、第２連携検出部２７１は、ＭＦＰ１００から受信するログイン画面を表示部２０６に表示し、ユーザーが操作部２０７にログイン画面に従って入力するユーザー識別情報と認証情報とを受け付ける。第２連携検出部２７１は、受け付けられたユーザー識別情報と認証情報との組をＭＦＰ１００に無線ＬＡＮＩ／Ｆ２０８を介して送信する。ＭＦＰ１００においては、上述したように、ログインを許可する場合は許可信号を返信し、ログインを許可しない場合は不許可信号を返信する。第２連携検出部２７１は、無線ＬＡＮＩ／Ｆ２０８がＭＦＰ１００から許可信号を受信するならば、ログインが許可されたＭＦＰ１００の装置識別情報を、撮像指令出力部２７３、遠隔操作受付部２７５および連携通知部２７７に出力する。ログインが許可されたＭＦＰ１００は、携帯情報装置２００が遠隔操作の対象とする装置である。
【００９４】
さらに、第２連携検出部２７１は、遠隔操作部２５３の操作状態を設定する。操作状態は、アイドリング状態と、遠隔操作状態とを含む。遠隔操作状態は、単独制御状態と、連携制御状態とを含む。アイドリング状態は、ＭＦＰ１００，１０１，１０２のいずれにもログインしていない状態である。遠隔操作状態は、ＭＦＰ１００，１０１，１０２のいずれかにログインしている状態である。単独制御状態は、ＭＦＰ１００，１０１，１０２のいずれかにログインが成功しており、かつ、撮像制御部２５１が起動していない状態である。連携制御状態は、第２連携検出部２７１が、ＭＦＰ１００，１０１，１０２のいずれかにログインしており、かつ、撮像制御部２５１が起動している状態である。
【００９５】
具体的には、第２連携検出部２７１は、遠隔操作部２５３が起動した時点で、遠隔操作部２５３の操作状態をアイドリング状態に設定する。第２連携検出部２７１は、ＭＦＰ１００，１０１，１０２のいずれかから許可信号を受信すると、許可信号を受信した時点で撮像制御部２５１が起動していない場合は操作状態をアイドリング状態から単独操作状態に切り換え、許可信号を受信した時点で撮像制御部２５１が起動している場合は操作状態をアイドリング状態から連携操作状態に切り換える。第２連携検出部２７１は、ＭＦＰ１００，１０１，１０２のいずれかから許可信号を受信した時点で撮像制御部２５１が起動している場合は、遠隔操作部２５３が遠隔操作中であることを通知するために撮像制御部に第１起動通知を出力する。第１起動通知は、ＭＦＰ１００，１０１，１０２のうち許可信号を送信してきた装置、換言すれば、遠隔操作の対象となる装置の装置識別情報を含む。
【００９６】
さらに、第２連携検出部２７１は、操作状態を単独操作状態に切り換えているときに、撮像制御部２５１の起動を検出すると、操作状態を単独操作状態から連携操作状態に切り換える。後述するように、撮像制御部２５１が備える第１連携検出部２６１は、撮像制御部２５１が起動した時点で、遠隔操作部２５３が起動している場合、遠隔操作部２５３に第２起動通知を出力する。第２連携検出部２７１は、撮像制御部２５１が備える第１連携検出部２６１から第２起動通知が入力される場合に、撮像制御部２５１が起動したことを検出する。第２連携検出部２７１は、撮像制御部２５１が起動したことを検出し、操作状態を単独操作状態から連携操作状態に切り換える場合、撮像制御部２５１が備える第１連携検出部２６１に、連携先装置情報を出力する。連携先装置情報は、ＭＦＰ１００，１０１，１０２のうち許可信号を送信してきた装置、換言すれば、遠隔操作の対象となる装置の装置識別情報を含む。
【００９７】
さらに、第２連携検出部２７１は、連携操作状態の場合に、ユーザーから遠隔操作を終了させる操作が入力される場合、操作状態をアイドリング状態に切り換えるとともに、撮像制御部２５１が備える第２連携検出部２６１に解除通知を出力する。また、第２連携検出部２７１は、遠隔操作部２５３が終了する場合、換言すれば、ＣＰＵ２０１が遠隔操作プログラムの実行を終了する場合、撮像制御部２５１が備える第２連携検出部２６１に解除通知を出力する。
【００９８】
逆に、撮像制御部２５１が備える第１連携検出部２６１は、撮像制御部２５１が終了する場合、換言すれば、ＣＰＵ２０１が撮像制御プログラムの実行を終了する場合、第２連携検出部２７１に解除通知を出力する。このため、第２連携検出部２７１は、操作状態を連携操作状態に設定している場合、第１連携検出部２６１から解除通知が入力されると、操作状態を連携操作状態から単独操作状態に切り換える。
【００９９】
連携通知部２７７は、第２連携検出部２７１から装置識別情報が入力される。連携通知部２７７は、操作状態がアイドリング状態または単独操作状態から連携操作状態に切り換わると、装置識別情報で特定される装置に、連携通知を無線ＬＡＮＩ／Ｆ２０８を介して送信する。また、連携通知部２７７は、操作状態が連携操作状態から単独操作状態に切り換わると、装置識別情報で特定される装置に、連携解除通知を無線ＬＡＮＩ／Ｆ２０８を介して送信する。
【０１００】
第１連携検出部２６１は、撮像制御部２５１の撮像状態を設定する。撮像状態は、単独撮像状態と、連携撮像状態とを含む。単独撮像状態は、遠隔操作部２５３がアイドリング状態の場合である。連携撮像状態は、遠隔操作部２５３が連携操作状態の場合である。
【０１０１】
具体的には、第１連携検出部２６１は、撮像制御部２５１が起動した時点で、撮像制御部２５１の撮像状態を単独撮像状態に設定する。第１連携検出部２６１は、撮像制御部２５１が起動した時点で、遠隔操作部２５３が起動しているか否かを検出する。撮像制御部２５１が起動した時点で、第１連携検出部２６１は、遠隔操作部２５３が起動しているか否かを判断する。第１連携検出部２６１は、遠隔操作部２５３が起動していると判断する場合、遠隔操作部２５３に第２起動通知を出力する。
【０１０２】
上述したように、遠隔操作部２５３が備える第２連携検出部２７１は、第１連携検出部２６１から第２起動通知が入力される場合、操作状態を単独操作状態から連携操作状態に切り換える場合があり、その場合には第１連携検出部２６１に、連携先装置情報を出力する。連携先装置情報は、ＭＦＰ１００，１０１，１０２のうち遠隔操作の対象となる装置、ここではＭＦＰ１００の装置識別情報を含む。第１連携検出部２６１は、第２連携検出部２７１から連携先装置情報が入力される場合、撮像状態を、単独撮像状態から連携撮像状態に切り換えるとともに、送信部２６３に送信指令を出力する。送信指令は、第２連携検出部２７１から入力される連携先装置情報に含まれる装置識別情報を含む。
【０１０３】
また、第１連携検出部２６１は、撮像状態を単独撮像状態に切り換えているときに、遠隔操作部２５３が遠隔操作状態（連携操作状態）であることを検出すると、撮像状態を単独撮像状態から連携撮像状態に切り換える。上述したように遠隔操作部２５３が備える第２連携検出部２７１は、ＭＦＰ１００，１０１，１０２のいずれかから許可信号を受信した時点で撮像制御部２５１が起動している場合は、遠隔操作部２５３が遠隔操作状態（連携操作状態）であることを通知するために撮像制御部２５１に第１起動通知を出力する。第１起動通知は、ＭＦＰ１００，１０１，１０２のうち遠隔操作の対象となる装置、ここではＭＦＰ１００の装置識別情報を含む。第１連携検出部２６１は、第２連携検出部２７１から第１起動通知が入力される場合に、遠隔操作部２５３が遠隔操作状態であることを検出する。第１連携検出部２６１は、第２連携検出部２７１から第１起動通知が入力される場合、撮像状態を単独撮像状態から連携撮像状態に切り換えるとともに、送信部２６３に送信指令を出力する。送信指令は、第２連携検出部２７１から入力される第１起動通知に含まれる装置識別情報を含む。
【０１０４】
さらに、第１連携検出部２６１は、撮像制御部２５１が終了する場合、換言すれば、ＣＰＵ２０１が撮像制御プログラムの実行を終了する場合、連携撮像状態の場合は、撮像制御部２５１が備える第１連携検出部２７１に解除通知を出力する。
【０１０５】
逆に、遠隔操作部２５３が備える第２連携検出部２７１は、遠隔操作部２５３が終了する場合、または、連携操作状態から単独操作状態に切り換える場合、第１連携検出部２６１に解除通知を出力する。このため、第１連携検出部２６１は、第２連携検出部２７１から解除通知が入力される場合は、撮像状態を連携撮像状態から単独撮像状態に切り換える。
【０１０６】
撮像画面表示部２６７は、撮像状態が単独撮像状態に設定されている場合、撮像操作画面を表示部２０６に表示し、撮像状態が連携撮像状態に設定されている場合、撮像操作画面を遠隔操作部２５３に出力する。撮像操作画面は、ユーザーがカメラ２０２に被写体を撮像させるために入力する操作を受け付けるため操作画面であり、カメラ２０２に撮像を指示するためのシャッターボタンを含む。
【０１０７】
遠隔操作画面表示部２７９は、操作状態が単独操作状態に設定されている場合、遠隔操作画面を表示部２０６に表示し、操作状態が連携操作状態に設定されている場合、遠隔操作画面を連携画面表示部２８１に出力する。遠隔操作画面は、ユーザーが遠隔操作の対象となる装置、ここではＭＦＰ１００に処理を実行させるために入力する遠隔操作を受け付けるため操作画面である。遠隔操作画面は、遠隔操作プログラムに含まれていてもよいし、遠隔操作の対象となるＭＦＰ１００から受信される画面であってもよい。
【０１０８】
連携画面表示部２８１は、操作状態が連携操作状態に設定されている場合、撮像画面表示部２６７から撮像操作画面が入力され、遠隔操作画面表示部２７９から遠隔操作画面が入力される。連携画面表示部２８１は、撮像操作画面と遠隔操作画面とを並べて配置した連携画面を生成し、連携画面を表示部２０６に表示する。
【０１０９】
図７は、撮像操作画面の一例を示す図である。図７を参照して、撮像操作画面３０１は、カメラ２０２が被写体を撮像し、出力する画像データの画像を表示する領域３０３と、シャッターボタン３０５と、を含む。ここでは、領域３０３に本を開いた状態の画像を含む。この場合、カメラ２０２の被写体は、開いた状態の本である。
【０１１０】
図８は、遠隔操作作画面の一例を示す図である。図８を参照して、遠隔操作画面３１１は、遠隔操作の対象となるＭＦＰ１００の表示部１６１に表示される操作画面に対応する画面を表示する領域３１３と、実行を指示するためのスタートボタン３１５と、処理の実行を中止させるための中止ボタン３１７と、を含む。
【０１１１】
図９は、連携画面の一例を示す図である。図９を参照して、連携画面３２１は、図７に示した撮像操作画面３０１を配置する領域３０１Ａと、図８に示した遠隔操作画面３１１を配置する領域３１１Ａと、を含む。領域３０１Ａは、シャッターボタン３０５を含み、領域３１１Ａは、スタートボタン３１５を含む。
【０１１２】
図６に戻って、遠隔操作受付部２７５は、第２連携検出部２７１から遠隔操作の対象となる装置、ここでは、ＭＦＰ１００の装置識別情報が入力される。遠隔操作受付部２７５は、操作状態が単独操作状態に設定されている場合、表示部２０６に表示された遠隔操作画面に従ってユーザーが操作部２０７に入力する遠隔操作を受け付け、受け付けた遠隔操作に対応する遠隔操作指令を、遠隔操作の対象となる装置であるＭＦＰ１００に、無線ＬＡＮＩ／Ｆ２０８を介して送信する。具体的には、遠隔操作画面中をユーザーが指示すれば、遠隔操作画面中で、ユーザーにより指示された位置に割り当てられた遠隔操作を特定する。
【０１１３】
遠隔操作受付部２７５は、操作状態が連携操作状態に設定されている場合、ユーザーが、表示部２０６に表示された連携画面に従って操作部２０７に入力する操作を受け付ける。遠隔操作受付部２７５は、ユーザーが連携画面に含まれる遠隔操作画面の領域を指示する場合、遠隔操作画面のユーザーにより指示された位置を特定する。
【０１１４】
遠隔操作受付部２７５は、遠隔操作画面のユーザーにより指示された位置が、処理の実行を指示する遠隔操作が割り当てられた領域以外の領域の場合、ユーザーにより指示された位置に遠隔操作画面で割り当てられた遠隔操作を特定し、特定された遠隔操作に対応する遠隔操作指令を、遠隔操作の対象となる装置であるＭＦＰ１００に、無線ＬＡＮＩ／Ｆ２０８を介して送信する。処理の実行を指示する遠隔操作は、ＭＦＰ１００に画像形成処理の実行を指示する遠隔操作、原稿読取処理の実行を指示する遠隔操作、データ送信処理の実行を指示する遠隔操作、およびデータ記憶処理の実行を指示する遠隔操作を含む。処理の実行を指示する遠隔操作が割り当てられた領域は、例えば、ＭＦＰ１００に処理の開始を指示するためのボタンが表された領域である。より具体的には、図９に示した連携画面３２１が表示されている場合は、スタートボタン３１５の領域が指示された場合である。また、遠隔操作画面がＭＦＰ１００の操作パネルを模した図形を含む場合には、ハードキー部１６７に含まれるスタートボタンが表された領域である。
【０１１５】
遠隔操作受付部２７５は、遠隔操作画面のユーザーにより指示された位置が、処理の実行を指示する遠隔操作が割り当てられた領域の場合、遠隔操作指令を送信することなく、実行指示が指示されたことを示す信号を撮像指令出力部２７３に出力する。
【０１１６】
撮像指令出力部２７３は、操作状態が連携操作状態に設定されている場合、遠隔操作受付部２７５から実行指示が指示されたことを示す信号が入力される場合、撮像制御部２５１に撮像指令を出力する。
【０１１７】
撮像指示受付部２６５は、ユーザーが入力する撮像指示を受け付ける。撮像状態が単独撮像状態に設定されている場合、ユーザーが表示部２０６に表示された撮像操作画面３０１のシャッターボタン３０５を指示すれば、操作部２０７が撮像操作画面のシャッターボタン３０５の位置を検出する。撮像指示受付部２６５は、操作部２０７がシャッターボタン３０５の位置を検出すると、撮像指示を受け付ける。撮像指示受付部２６５は、撮像状態が単独撮像状態に設定されている場合、撮像指示を受け付けることに応じて、カメラ２０２を制御して被写体を撮像させ、カメラ２０２が出力する画像データを、フラッシュメモリ２０３に記憶する。
【０１１８】
また、撮像指示受付部２６５は、撮像状態が連携撮像状態に設定されている場合、ユーザーが表示部２０６に表示された連携画面３２１に含まれる撮像操作画面３０１Ａのシャッターボタン３０５を指示すれば、操作部２０７が撮像操作画面３０１Ａのシャッターボタンの位置を検出する。さらに、撮像指示受付部２６５は、撮像状態が連携撮像状態に設定されている場合、撮像指令出力部２７３から撮像指令が入力される場合、撮像指示を受け付ける。撮像指示受付部２６５は、撮像指示を受け付けることに応じて、カメラ２０２を制御して、被写体を撮像させるとともに、送信部２６３に送信指令を出力する。撮像状態が連携撮像状態に設定されている場合、カメラ２０２が出力する画像データを、フラッシュメモリ２０３に記憶するようにしてもよいし、記憶しないようにしてもよい。
【０１１９】
なお、撮像指示受付部２６５は、撮像状態が連携撮像状態に設定されている場合、カメラ２０２が出力するスルー画像を画像解析して、本などのページが捲られる事象を検出するようにし、その事象を検出する場合に、撮像指示を受け付けるようにしてもよい。これにより、ユーザーは、本のページを捲る動作をすればよく、シャッターボタン３０５またはスタートボタン３１５を指示する操作を入力する必要がなく、遠隔操作を容易にすることができる。
【０１２０】
送信部２６３は、撮像状態が連携撮像状態に設定されている場合、第１連携検出部２６１から遠隔操作の対象である装置の装置識別情報が入力され、撮像指示受付部２６５から送信指令が入力される。送信部２６３は、送信指令が入力される場合、カメラ２０２が出力する画像データを、第１連携検出部２６１から入力される装置識別情報で特定される装置に無線ＬＡＮＩ／Ｆ２０８を介して送信する。
【０１２１】
図１０は、遠隔制御処理の流れの一例を示すフローチャートである。遠隔制御処理は、ＭＦＰ１００が備えるＣＰＵ１１１が、ＲＯＭ１１３、ＨＤＤ１１５、ＣＤ−ＲＯＭ１１８に記憶された遠隔制御プログラムを実行することにより、ＣＰＵ１１１により実行される処理である。
【０１２２】
図１０を参照して、ＣＰＵ１１１は、入力モードを内部入力モードに設定する（ステップＳ７１）。次に、ログイン要求を受信したか否かを判断する（ステップＳ７２）。通信Ｉ／Ｆ部１１２が携帯情報装置２００との間の接続を確立し、携帯情報装置２００からログイン要求を受信するまで待機状態となり（ステップＳ７２でＮＯ）、ログイン要求を受信したならば（ステップＳ７２でＹＥＳ）、処理をステップＳ７３に進める。
【０１２３】
ステップＳ７３においては、認証に成功したか否かを判断する。認証に成功したならば処理をステップＳ７４に進め、認証に失敗したならば処理をステップＳ７２に戻す。具体的には、通信Ｉ／Ｆ部１１２を介して、携帯情報装置２００にログイン画面を送信し、携帯情報装置２００が送信するユーザー識別情報と認証情報とを受信する。そして、受信されたユーザー識別情報と認証情報とをＨＤＤ１１５に予め記憶されているユーザーデータと比較する。両者が一致すれば認証成功と判断し、両者が一致しなければ認証失敗と判断する。ステップＳ７４においては、携帯情報装置２００のユーザーのログインを許可し、処理をステップＳ７５に進める。
【０１２４】
ステップＳ７５においては、連携通知を受信したか否かを判断する。通信Ｉ／Ｆ部１１２が、携帯情報装置２００から連携通知を受信したか否かを判断する。連携通知を受信したならば処理をステップＳ７６に進めるが、そうでなければ処理をステップＳ７７に進める。ステップＳ７６においては、入力モードを外部入力モードに切り換え、処理をステップＳ７９に進める。ステップＳ７７においては、連携解除通知を受信したか否かを判断する。通信Ｉ／Ｆ部１１２が、携帯情報装置２００から連携解除通知を受信したか否かを判断する。連携解除通知を受信したならば処理をステップＳ７８に進めるが、そうでなければ処理をステップＳ７９に進める。ステップＳ７８においては、入力モードを内部入力モードに切り換え、処理をステップＳ７９に進める。
【０１２５】
ステップＳ７９においては、遠隔操作指令を受信したか否かを判断する。通信Ｉ／Ｆ部１１２が、携帯情報装置２００から遠隔操作指令を受信したか否かを判断する。遠隔操作指令を受信したならば処理をステップＳ８０に進めるが、そうでなければ処理をステップＳ８１に進める。ステップＳ８０においては、受信された遠隔操作指令に従って処理を実行し、処理をステップＳ８１に進める。設定値を設定させる遠隔操作指令を受信する場合、遠隔操作指令に含まれる設定値を設定する。具体的には、ＲＡＭ１１４に設定値を記憶する。画像形成処理の実行を指示する遠隔操作指令を受信する場合、画像形成部１４０および給紙部１５０を制御して設定値に従って画像形成処理を実行させる。原稿読取処理の実行を指示する遠隔操作指令を受信する場合、自動原稿搬送装置１２０および原稿読取部１３０を制御して設定値に従って原稿読取処理を実行させる。データ送信処理の実行を指示する遠隔操作指令を受信する場合、通信Ｉ／Ｆ部１１２またはファクシミリ部１１６を制御して設定値に従ってデータ送信処理を実行させる。データ記憶処理の実行を指示する遠隔操作指令を受信する場合、ＨＤＤ１１５または外部記憶装置１１７を制御して設定値に従ってデータ記憶処理を実行させる。
【０１２６】
ステップＳ８１においては、入力モードが外部入力モードに設定されているか否かを判断する。外部入力モードに設定されているならば処理をステップＳ８２に進めるが、そうでなければ処理をステップＳ８４に進める。ステップＳ８２においては、画像データを受信したか否かを判断する。通信Ｉ／Ｆ部１１２が携帯情報装置２００から画像データを受信したならば処理をステップＳ８３に進めるが、そうでなければ処理をステップＳ８４に進める。ステップＳ８３においては、受信された画像データを設定値に従って処理する。ここで実行する処理は、画像形成処理であり、受信された画像データの画像を画像形成部１４０に形成させる。なお、ステップＳ８３において実行する処理の内容は、画像形成処理に限定されることなく、例えば、ステップＳ８０が実行される直前にステップＳ７９が実行されることによって受信された遠隔操作指令に従って、ステップＳ８０において設定された設定値に対応する処理としてもよい。画像形成処理のための設定値が設定されたならば画像形成処理であり、原稿読取処理のための設定値が設定されたならば原稿読取処理であり、データ送信処理のための設定値が設定されたならばデータ送信処理であり、データ記憶処理のための設定値が設定されたならばデータ記憶処理である。
【０１２７】
ステップＳ８４においては、ログアウト要求を受信したか否かを判断する。ログアウト要求を受信したならば処理をステップＳ８５に進めるが、そうでなければ処理をステップＳ７５に戻す。ステップＳ８５においては、ステップＳ７４においてログインが許可されたユーザーをログアウトし、処理をステップＳ７１に戻す。
【０１２８】
図１１および図１２は、遠隔操作処理の流れの一例を示すフローチャートである。遠隔操作処理は、携帯情報装置２００が備えるＣＰＵ２０１が、フラッシュメモリ２０３に記憶された遠隔操作プログラムを実行することにより、ＣＰＵ２０１により実行される処理である。図１１および図１２を参照して、ＣＰＵ２０１は、操作状態をアイドリング状態に設定する（ステップＳ０１）。
【０１２９】
次のステップＳ０２においては、ＭＦＰ１００，１０１，１０２のうちから１つを選択する。遠隔操作の対象となりうる装置として、予め登録されたＭＦＰ１００，１０１，１０２それぞれの装置識別情報を選択可能に表示するための選択画面を、表示部２０６に表示し、ユーザーが選択画面に表示された装置識別情報を選択する操作を操作部２０７に入力すれば、ＭＦＰ１００，１０１，１０２のうち選択された装置識別情報の装置を選択する。以下、遠隔操作の対象となる装置として、ＭＦＰ１００がユーザーにより選択された場合を例に説明する。
【０１３０】
次のステップＳ０３においては、選択された装置にログインする。ＭＦＰ１００にログイン要求を送信し、ＭＦＰ１００が返信するログイン画面を表示部２０６に表示し、ユーザーが操作部２０７にログイン画面に従って入力するユーザー識別情報と認証情報とを、ＭＦＰ１００に送信する。そして、ログインに成功したか否かを判断する（ステップＳ０４）。ログインに成功したならば処理をステップＳ０５に進めるが、そうでなければ処理をステップＳ０２に戻す。ステップＳ０５においては、操作状態を単独操作状態に設定し、処理をステップＳ０６に進める。
【０１３１】
ステップＳ０６においては、撮像制御中か否かを判断する。撮像制御プログラムが実行されているならば撮像制御中と判断する。撮像制御中ならば処理をステップＳ０７に進めるが、そうでなければ処理をステップＳ１０に進める。ステップＳ０７においては、第１起動通知を、撮像制御プログラムを実行するタクス（撮像制御部２５１）に出力し、処理をステップＳ０８に進める。第１起動通知は、ステップＳ０４においてログインが許可された遠隔操作の対象となる装置、ここではＭＦＰ１００の装置識別情報を含む。次に、連携通知を遠隔操作の対象となる装置（ＭＦＰ１００）に送信する（ステップＳ０８）。遠隔操作の対象となる装置（ＭＦＰ１００）の入力モードを、外部入力モードに切換させるためである。そして、操作状態を連携操作状態に設定し（ステップＳ０９）、処理をステップＳ１０に進める。
【０１３２】
ステップＳ１０においては、操作状態によって処理を分岐させる。操作状態が連携操作状態ならば処理をステップＳ１１に進めるが、操作状態が単独操作状態ならば処理をステップＳ１４に進める。ステップＳ１１においては、撮像制御プログラムを実行するタスク（撮像制御部２５１）から解除通知が入力されたか否かを判断する。解除通知が入力されたならば処理をステップＳ１２に進めるが、そうでなければ処理をステップＳ１８に進める。ステップＳ１２においては、操作状態を単独操作状態に設定し、処理をステップＳ１３に進める。ステップＳ１３においては、連携解除通知を遠隔操作の対象となる装置（ＭＦＰ１００）に無線ＬＡＮＩ／Ｆ２０８を介して送信し、処理をステップＳ１８に進める。遠隔操作の対象となる装置（ＭＦＰ１００）の入力モードを、内部入力モードに切換させるためである。
【０１３３】
一方、ステップＳ１４においては、撮像制御プログラムを実行するタスク（撮像制御部２５１）から第２起動通知が入力されたか否かを判断する。第２起動通知は、撮像制御プログラムを実行するタスクが起動した時点で出力する信号である。第２起動通知が入力されたならば処理をステップＳ１５に進めるが、そうでなければ処理をステップＳ１８に進める。ステップＳ１５においては、操作状態を連携操作状態に設定し、処理をステップＳ１６に進める。ステップＳ１６においては、撮像制御プログラムを実行するタスク（撮像制御部２５１）に連携先装置情報を出力する。連携先装置情報は、ステップＳ０４においてログインに成功した遠隔操作の対象となる装置、ここではＭＦＰ１００の装置識別情報を含む。次のステップＳ１７においては、連携通知を遠隔操作の対象となる装置（ＭＦＰ１００）に送信し（ステップＳ０８）、処理をステップＳ１７に進める。遠隔操作の対象となる装置（ＭＦＰ１００）の入力モードを、外部入力モードに切換させるためである。
【０１３４】
ステップＳ１８においては、操作状態によって処理を分岐させる。操作状態が連携操作状態ならば処理をステップＳ１９に進めるが、操作状態が単独操作状態ならば処理をステップＳ２２に進める。ステップＳ２２においては、表示部２０６に遠隔操作画面を表示し、処理をステップＳ２３に進める。
【０１３５】
処理がステップＳ１９に進む場合、ＣＰＵ２１１は、撮像制御プログラムを実行している。このため、ステップＳ１９においては、撮像制御プログラムを実行するタスクから撮像操作画面を取得する。そして、連携画面を生成する（ステップＳ２０）。連携画面は、遠隔操作のための遠隔操作画面と、ステップＳ１９において取得された撮像操作画面とを並べて配置した画面である。次のステップＳ２１においては、表示部２０６に連携画面を表示し、処理をステップＳ２３に進める。
【０１３６】
ステップＳ２３においては、操作を受け付けたか否かを判断する。操作部２０７により検出される操作を受け付ける。操作を受け付けたならば処理をステップＳ２４に進めるが、そうでなければ処理をステップＳ２７に進める。ステップＳ２４においては、操作状態によって処理を分岐させる。操作状態が連携操作状態ならば処理をステップＳ２５に進めるが、操作状態が単独操作状態ならば処理をステップＳ２７に進める。ステップＳ２５においては、操作がスタートボタン３１５を指示する操作か否かを判断する。スタートボタン３１５を指示する操作ならば処理をステップＳ２６に進めるが、そうでなければ処理をステップＳ２７に進める。ステップＳ２６においては、撮像制御プログラムを実行するタスクに撮像指令を出力し、処理をステップＳ２８に進める。一方、ステップＳ２７においては、遠隔操作の対象となる装置、ここではＭＦＰ１００にステップＳ２３において受け付けられた操作に対応する遠隔操作指令を送信し、処理をステップＳ２８に進める。
【０１３７】
ステップＳ２８においては、ログアウト指示を受け付けたか否かを判断する。ログアウト指示を受け付けたならば処理をステップＳ２９に進めるが、そうでなければ処理をステップＳ１０に戻す。ステップＳ２９においては、操作状態が連携操作状態か否かを判断する。連携操作状態ならば処理をステップＳ３０に進めるが、そうでなければステップＳ３０をスキップして処理を終了する。ステップＳ３０においては、撮像制御プログラムを実行するタスク（撮像制御部２５１）に解除通知を出力し、処理を終了する。
【０１３８】
図１３は、撮像制御処理の流れの一例を示すフローチャートである。撮像制御処理は、携帯情報装置２００が備えるＣＰＵ２０１が、フラッシュメモリ２０３に記憶された撮像制御プログラムを実行することにより、ＣＰＵ２０１により実行される処理である。図１２を参照して、ＣＰＵ２０１は、撮像状態を単独撮像状態に設定する（ステップＳ３１）。
【０１３９】
次のステップＳ３２においては、遠隔操作中か否かを判断する。遠隔操作プログラムが実行されているならば遠隔操作中と判断する。遠隔操作中ならば処理をステップＳ３３に進めるが、そうでなければ処理をステップＳ３６に進める。ステップＳ３３においては、第２起動通知を、遠隔操作プログラムを実行するタクス（遠隔操作部２５３）に出力し、処理をステップＳ３４に進める。図１１および図１２で示したように、遠隔操作プログラムを実行するタクスは、操作状態が単独操作状態に設定されている場合において、第２起動通知が入力されると（ステップＳ１４でＹＥＳ）、連携先装置情報を出力する（ステップＳ１６）。また、遠隔操作プログラムを実行するタクスは、操作状態がアイドリング状態に設定されている場合は、第２起動通知が入力され手も何も出力しない。ステップＳ３４においては、遠隔操作プログラムを実行するタクスから連携先装置情報が入力されたか否かを判断する。連携先装置情報が入力されたならば処理をステップＳ３５に進めるが、そうでなければ処理をステップＳ３６に進める、ステップＳ３５においては、撮像状態を連携撮像状態に設定し、処理をステップＳ３６に進める。
【０１４０】
ステップＳ３６においては、撮像状態によって処理を分岐させる。撮像状態が連携撮像状態ならば処理をステップＳ３７に進めるが、撮像状態が単独撮像状態ならば処理をステップＳ３９に進める。ステップＳ３７においては、遠隔操作プログラムを実行するタスク（遠隔操作部２５３）から解除通知が入力されたか否かを判断する。解除通知が入力されたならば処理をステップＳ３８に進めるが、そうでなければステップＳ３８をスキップして処理をステップＳ４１に進める。ステップＳ３８においては、撮像状態を単独撮像状態に設定し、処理をステップＳ４１に進める。
【０１４１】
一方、ステップＳ３９においては、遠隔操作プログラムを実行するタスク（遠隔操作部２５３）から第１起動通知が入力されたか否かを判断する。第１起動通知は、図１１および図１２で示したように、遠隔操作プログラムを実行するタスクが起動し、操作状態をアイドリング状態から連携操作状態に切り換える時点で（ステップＳ０５）、出力する（ステップＳ０７）信号であり、遠隔操作の対象となる装置、ここではＭＦＰ１００の装置識別情報を含む。第１起動通知が入力されたならば処理をステップＳ４０に進めるが、そうでなければ処理をステップＳ４１に進める。ステップＳ４９においては、撮像状態を連携撮像状態に設定し、処理をステップＳ４１に進める。
【０１４２】
ステップＳ４１においては、撮像状態によって処理を分岐させる。撮像状態が連携撮像状態ならば処理をステップＳ４２に進めるが、撮像状態が単独撮像状態ならば処理をステップＳ４７に進める。
【０１４３】
処理がステップＳ４２に進む場合、ＣＰＵ２１１は、遠隔操作プログラムを実行している。このため、ステップＳ４２においては、遠隔操作プログラムを実行するタスクに撮像操作画面を出力する。遠隔操作プログラムを実行するタスクは、撮像操作画面が入力されると、撮像操作画面を含む連携画面を表示部２０６に表示するので、表示部２０６に撮像操作画面が表示される。ステップＳ４３においては、撮像操作画面３０１Ａに含まれるシャッターボタン３０５が指示されたか否かを判断する。シャッターボタン３０５が指示されたならば処理をステップＳ４５に進めるが、そうでなければ処理をステップＳ４４に進める。
【０１４４】
ステップＳ４４においては、遠隔操作プログラムを実行するタスクから撮像指令が入力されたか否かを判断する。撮像指令が入力されたならば処理をステップＳ４５に進めるが、そうでなければ処理をステップＳ５１に進める。ステップＳ４５においては、カメラ２０２に被写体を撮像させる。そして、カメラ２０２が撮像して出力する画像データを、連携先装置に無線ＬＡＮＩ／Ｆ２０８を介して送信し（ステップＳ４６）、処理をステップＳ５１に進める。連携先装置は、遠隔操作の対象となる装置である。連携先装置は、ステップＳ３４において、遠隔操作プログラムを実行するタスクから入力される連携先装置情報に含まれる装置識別情報、または、ステップＳ３９において遠隔操作プログラムを実行するタスクから入力される第１起動通知に含まれる装置識別情報で特定される。
【０１４５】
一方、ステップＳ４７においては、表示部２０６に撮像操作画面３０１を表示し、処理をステップＳ４８に進める。ステップＳ４７においては、撮像操作画面３０１に含まれるシャッターボタン３０５が指示されたか否かを判断する。シャッターボタン３０５が指示されたならば処理をステップＳ４９に進めるが、そうでなければ処理をステップＳ５１に進める。ステップＳ４９においては、カメラ２０２に被写体を撮像させる。そして、カメラ２０２が撮像して出力する画像データを、フラッシュメモリ２０３に記憶し（ステップＳ５０）、処理をステップＳ５１に進める。
【０１４６】
ステップＳ５１においては、終了指示を受け付けたか否かを判断する。ユーザーが操作部２０７に、撮像制御プログラムの実行を終了させるために予め定められた操作を入力すれば、終了指示を受け付ける。予め定められた操作は、例えば、撮像操作画面の予め定められた領域を指示する操作である。終了指示を受け付けたならば処理をステップＳ５２に進めるが、そうでなければ処理を終了する。ステップＳ５３においては、遠隔操作プログラムを実行するタスク（遠隔操作部２５３）に解除通知を出力し、処理を終了する。
＜変形例＞
上述した実施の形態における画像処理システム１においては、携帯情報装置２００によって遠隔操作されるＭＦＰ１００が、携帯情報装置２００が連携操作状態の場合に、入力モードを外部入力モードに切り換えるようにし、携帯情報装置２００は、連携操作状態において、カメラ２０２で撮像された画像データをＭＦＰ１００に送信し、ＭＦＰ１００は、外部入力モードにおいて携帯情報装置２００から受信される画像データを処理するようにした。
【０１４７】
変形例における画像処理システム１においては、携帯情報装置２００によって遠隔操作されるＭＦＰ１００が、携帯情報装置２００が連携操作状態の場合に、入力モードを外部入力モードに切り換える点では同じである。携帯情報装置２００は、連携操作状態において、カメラ２０２で撮像された画像データをＭＦＰ１００に送信することなく、フラッシュメモリ２０３に記憶し、コピー処理を実行させるコピー開始指示を含む遠隔操作指令をＭＦＰ１００に送信し、ＭＦＰ１００は、外部入力モードにおいて携帯情報装置２００から遠隔操作指令が受信されると、原稿読取部１３０に原稿を読み取らせることなく、フラッシュメモリ２０３に記憶された画像データを取得し、取得された画像データの画像を形成するようにする。以下、変形例における画像処理システム１について、上述した画像処理システムと異なる点を主に説明する。
【０１４８】
図１４は、変形例におけるＭＦＰが備えるＣＰＵの機能の概要を示すブロック図である。図１４を参照して、図５に示した機能と異なる点は、遠隔制御部５３が遠隔制御部５３Ａに変更された点である。遠隔制御部５３Ａは、図５に示した遠隔制御部５３と異なる点は、遠隔操作受信部７１が遠隔操作受信部７１Ａに変更された点、撮像画像受信部７７が撮像画像取得部７７Ａに変更された点である。その他の機能は同じなのでここでは説明を繰り返さない。
【０１４９】
遠隔操作受信部７１Ａは、通信Ｉ／Ｆ部１１２が携帯情報装置２００との間の接続を確立し、携帯情報装置２００からログイン要求を受信すると、携帯情報装置２００を操作するユーザーを認証し、認証に成功すれば、ログインを許可するが、認証に失敗すれば、ログインを許可しない。遠隔操作受信部７１Ａは、携帯情報装置２００を操作するユーザーの認証に成功した後、ログアウト指令を受信するまでの間、携帯情報装置２００から遠隔操作指令を受信する。遠隔操作受信部７１Ａは、遠隔操作指令を受信する場合、遠隔操作指令に従って、画像処理部５１に処理を実行させる。
【０１５０】
遠隔操作受信部７１Ａは、入力モード切換部７５によって入力モードが外部入力モードに切り替えられている場合、携帯情報装置２００から受信される遠隔操作指令がコピー開始指示を示す場合、撮像画像取得部７７Ａに取得指令を出力する。取得指令は、遠隔操作指令を送信してきた携帯情報装置２００の装置識別情報を含む。
【０１５１】
撮像画像取得部７７Ａは、取得指令が入力されると、取得指令に含まれる装置識別情報に基づいて、携帯情報装置２００から画像データを取得する。画像データは、後述するように携帯情報装置２００が備えるフラッシュメモリ２０３の予め定められた領域に記憶されている。撮像画像取得部７７Ａは、通信Ｉ／Ｆ部１１２を介して携帯情報装置２００に取得要求を送信し、フラッシュメモリ２０３の予め定められた領域に記憶されている画像データをダウンロードする。なお、撮像画像取得部７７Ａが携帯情報装置２００から画像データを取得する方法は、これに限定されることなく、他の方法を用いるようにしてもよい。また、携帯情報装置２００から受信されるコピー開始指示を示す遠隔操作指令が、フラッシュメモリ２０３に記憶された画像データを識別するためのデータ識別情報を含んでいてもよい。
【０１５２】
コピー開始指示は、原稿読取部１３０に原稿を読み取らせ、原稿読取部１３０が原稿を読み取って出力する画像データの画像を画像形成部１４０に画像形成させる指令である。遠隔操作受信部７１Ａは、入力モード切換部７５によって入力モードが内部入力モードに切り換えられている場合に、携帯情報装置２００からコピー開始指示を示す遠隔操作指令が受信される場合は、原稿読取制御部６３に原稿読取処理を実行させ、原稿読取部１３０画出力する画像データを、画像形成制御部６１に画像形成させる。遠隔操作受信部７１Ａは、入力モード切換部７５によって入力モードが外部入力モードに切り替えられている場合に、携帯情報装置２００からコピー開始指示を示す遠隔操作指令が受信される場合は、原稿読取制御部６３に原稿読取処理を実行させることなく、画像形成制御部６１に撮像画像取得部７７Ａによって取得された画像データの画像を形成させる。
【０１５３】
図１５は、変形例における携帯情報装置が備えるＣＰＵの機能の概要を示すブロック図である。図１５に示す機能は、図６に示した機能と異なる点は、送信部２６３が送信部２６３Ａに変更された点、撮像指示受付部２６５が撮像指示受付部２６５Ａに、遠隔操作受付部２７５が遠隔操作受付部２７５Ａに、それぞれ変更された点である。その他の機能は図６に示した機能と同じなので、ここでは説明を繰り返さない。
【０１５４】
遠隔操作受付部２７５Ａは、第２連携検出部２７１から遠隔操作の対象となる装置、ここでは、ＭＦＰ１００の装置識別情報が入力される。遠隔操作受付部２７５Ａは、操作状態が単独操作状態に設定されている場合、表示部２０６に表示された遠隔操作画面３１１に従ってユーザーが操作部２０７に入力する遠隔操作を受け付け、受け付けた遠隔操作に対応する遠隔操作指令を、遠隔操作の対象となる装置であるＭＦＰ１００に、無線ＬＡＮＩ／Ｆ２０８を介して送信する。具体的には、遠隔操作画面３１１中をユーザーが指示すれば、遠隔操作画面３１１中で、ユーザーにより指示された位置に割り当てられた遠隔操作を特定する。
【０１５５】
遠隔操作受付部２７５Ａは、操作状態が連携操作状態に設定されている場合、ユーザーが、表示部２０６に表示された連携画面３２１に従って操作部２０７に入力する操作を受け付ける。遠隔操作受付部２７５は、ユーザーが連携画面３２１に含まれる遠隔操作画面３１１Ａの領域を指示する場合、遠隔操作画面３１１Ａ中でユーザーにより指示された位置を特定する。
【０１５６】
遠隔操作受付部２７５Ａは、遠隔操作画面３１１Ａ中でユーザーにより指示された位置が、処理の実行を指示する遠隔操作が割り当てられた領域以外の領域の場合、ユーザーにより指示された位置に遠隔操作画面３１１Ａで割り当てられた遠隔操作を特定し、特定された遠隔操作に対応する遠隔操作指令を、遠隔操作の対象となる装置であるＭＦＰ１００に、無線ＬＡＮＩ／Ｆ２０８を介して送信する。処理の実行を指示する遠隔操作が割り当てられた領域は、例えば、ＭＦＰ１００に処理の開始を指示するためのボタンが表された領域である。より具体的には、遠隔操作画面３１１Ａのスタートボタン３１５が表された領域である。
【０１５７】
遠隔操作受付部２７５Ａは、遠隔操作画面のユーザーにより指示された位置が、処理の実行を指示する遠隔操作が割り当てられた領域の場合、遠隔操作指令を送信するとともに、実行指示が指示されたことを示す信号を撮像指令出力部２７３に出力する。
【０１５８】
撮像指令出力部２７３は、操作状態が連携操作状態に設定されている場合、遠隔操作受付部２７５から実行指示が指示されたことを示す信号が入力される場合、撮像制御部２５１に撮像指令を出力する。
【０１５９】
撮像指示受付部２６５Ａは、ユーザーが入力する撮像指示を受け付ける。撮像状態が単独撮像状態に設定されている場合、ユーザーが表示部２０６に表示された撮像操作画面のシャッターボタンを指示すれば、操作部２０７が撮像操作画面３０１のシャッターボタン３０５の位置を検出する。撮像指示受付部２６５Ａは、操作部２０７がシャッターボタンの位置を検出すると、撮像指示を受け付ける。撮像指示受付部２６５Ａは、撮像状態が単独撮像状態に設定されている場合、撮像指示を受け付けることに応じて、カメラ２０２を制御して被写体を撮像させ、カメラ２０２が出力する画像データを、フラッシュメモリ２０３に記憶する。
【０１６０】
また、撮像指示受付部２６５Ａは、撮像状態が連携撮像状態に設定されている場合、ユーザーが表示部２０６に表示された連携画面３２１に含まれる撮像操作画面３０１Ａのシャッターボタン３０５を指示すれば、操作部２０７が撮像操作画面３０１Ａのシャッターボタン３０５の位置を検出することに応じて、撮像指示を受け付ける。さらに、撮像指示受付部２６５Ａは、撮像状態が連携撮像状態に設定されている場合、撮像指令出力部２７３から撮像指令が入力される場合、撮像指示を受け付ける。撮像指示受付部２６５は、撮像指示を受け付けることに応じて、カメラ２０２を制御して被写体を撮像させ、カメラ２０２が出力する画像データを、フラッシュメモリ２０３に記憶するとともに、遠隔操作受付部２７５Ａに、コピー開始指示を出力する。
【０１６１】
送信部２６３Ａは、撮像状態が連携撮像状態に設定されている場合、第１連携検出部２６１から遠隔操作の対象である装置の装置識別情報が入力される。送信部２６３Ａは、撮像状態が連携撮像状態に設定されている場合、無線ＬＡＮＩ／Ｆ２０８が、遠隔操作の対象である装置から取得要求を受信する場合がある。送信部２６３Ａは、取得要求を受信することに応じて、フラッシュメモリ２０３に記憶されている画像データを、無線ＬＡＮＩ／Ｆ２０８を介して、取得要求を送信してきた装置に送信する。
【０１６２】
遠隔操作受付部２７５Ａは、操作状態が連携操作状態に設定されている場合、撮像指示受付部２６５Ａからコピー開始指示が入力されると、コピー開始指示を示す遠隔操作指令を、遠隔操作の対象となるＭＦＰ１００に無線ＬＡＮＩ／Ｆ２０８を介して送信する。
【０１６３】
図１６は、変形例における遠隔制御処理の流れの一例を示すフローチャートである。図１６に遠隔制御処理は、図１０に示した処理と異なる点は、ステップＳ８０〜ステップＳ８３に代えて、ステップＳ９１〜ステップＳ９９が実行される点である。その他の処理は、図１０に示した処理と同じなので、ここでは説明を繰り返さない。
【０１６４】
ステップＳ７９において、遠隔操作指令を受信したか否かを判断する。遠隔操作指令を受信したならば処理をステップＳ９１に進めるが、そうでなければ処理をステップＳ８４に進める。
【０１６５】
ステップＳ９１においては、受信された遠隔操作指令がコピー開始指示か否かを判断する。コピー開始指示ならば処理をステップＳ９２に進めるが、そうでなければ処理をステップＳ９９に進める。ステップＳ９９においては、受信された遠隔操作指令に従って処理を実行し、処理をステップＳ８４に進める。設定値を設定させる遠隔操作指令を受信する場合、遠隔操作指令に含まれる設定値を設定する。データ送信処理の実行を指示する遠隔操作指令を受信する場合、通信Ｉ／Ｆ部１１２またはファクシミリ部１１６を制御して設定値に従ってデータ送信処理を実行させる。
【０１６６】
ステップＳ９２においては、入力モードが外部入力モードに設定されているか否かを判断する。外部入力モードに設定されているならば処理をステップＳ９３に進めるが、そうでなければ処理をステップＳ９５に進める。ステップＳ９３においては、ステップＳ７９において受信された遠隔操作指令を送信してきた携帯情報装置２００から画像データを取得する。上述したように、携帯情報装置２００は、カメラ２０２で被写体を撮像した画像データをフラッシュメモリ２０３に記憶する場合に、複写指令の遠隔操作指令を送信するので、携帯情報装置２００のフラッシュメモリ２０３に記憶され、カメラ２０２が被写体を撮像した画像データを取得する。そして、取得された画像データをＲＡＭ１１４に一時記憶し（ステップＳ９４）、処理をステップＳ９７に進める。
【０１６７】
一方、ステップＳ９５においては、原稿読取部１３０に原稿の画像を読み取らせる。そして、原稿読取部１３０が原稿を読み取って出力する画像データをＲＡＭ１１４に一時記憶し（ステップＳ９６）、処理をステップＳ９７に進める。
【０１６８】
ステップＳ９７においては、ステップＳ９４またはステップＳ９６で、ＲＡＭ１１４に一時記憶された画像データの画像を、画像形成部１４０に画像形成させる。そして、画像データの画像を形成する処理が終了したか否かを判断する（ステップＳ９８）。画像形成処理が終了したならば処理をステップＳ８４に進めるが、そうでなければ処理をステップＳ９２に戻す。携帯情報装置２００によって、複数回の撮像が実行される場合があり、携帯情報装置２００から取得される画像データが複数の場合がある。また、原稿が複数枚で原稿読取部１３０が出力する画像データが複数の場合がある。ステップＳ９８においては、画像形成の対象となる画像データが複数の場合に、そのすべての画像形成が終了したか否かを判断する。これにより、カメラ２０２で連続して被写体となる本などの複数ページを順に撮像する操作で、複数ページの画像を複写することができる。
【０１６９】
図１７および図１８は、変形例における遠隔操作処理の流れの一例を示すフローチャートである。図１７および図１８を参照して、図１１および図１２に示した遠隔操作処理と異なる点は、ステップＳ２２〜ステップＳ２８が、ステップＳ６１〜ステップＳ６７に変更された点である。その他の処理は図１１および図１２に示した処理と同じなので、ここでは説明を繰り返さない。
【０１７０】
ステップＳ６１においては、操作を受け付けたか否かを判断する。操作部２０７により検出される操作を受け付ける。操作を受け付けたならば処理をステップＳ６２に進めるが、そうでなければ処理をステップＳ６６に進める。ステップＳ６２においては、操作状態が連携操作状態か否かを判断する。操作状態が連携操作状態ならば処理をステップＳ６３に進めるが、操作状態が単独操作状態ならば処理をステップＳ２８に進める。ステップＳ６３においては、遠隔操作の対象となる装置、ここではＭＦＰ１００にステップＳ６１において受け付けられた操作に対応する遠隔操作指令を送信し、処理をステップＳ６４に進める。
【０１７１】
ステップＳ６４においては、操作がスタートボタンを指示する操作か否かを判断する。連携画面３２１に含まれる遠隔操作画面３１１Ａのスタートボタン３１５を指示する操作ならば処理をステップＳ６５に進めるが、そうでなければ処理をステップＳ２７に進める。ステップＳ６５においては、撮像制御プログラムを実行するタスク（撮像制御部２５１Ａ）に撮像指令を出力し、処理をステップＳ２７に進める。
【０１７２】
一方、ステップＳ６６においては、撮像制御プログラムを実行するタスク（撮像制御部２５１Ａ）からコピー開始指示が入力されたか否かを判断する。コピー開始指示が入力されたならば処理をステップＳ６７に進めるが、そうでなければ処理をステップＳ２７に進める。ステップＳ６７においては、ステップＳ６６において入力されたコピー開始指示を示す遠隔操作指令を、遠隔操作の対象となる装置、ここではＭＦＰ１００に送信し、処理をステップＳ２７に進める。
【０１７３】
図１９は、変形例における撮像制御処理の流れの一例を示すフローチャートである。図１９を参照して、図１３に示した撮像制御処理と異なる点は、ステップＳ４３とステップＳ４５との間に、ステップＳ４３Ａが追加された点である。その他の処理は、図１３に示した処理と同じなので、ここでは説明を繰り返さない。
【０１７４】
処理がステップＳ４３Ａに進むのは、ステップＳ４３において、撮像操作画面に含まれるシャッターボタンが指示されたと判断される場合である。ステップＳ４３Ａにおいては、遠隔操作プログラムを実行するタスク（遠隔操作部２５３Ａ）にコピー開始指示を出力し、処理をステップＳ４５に進める。
【０１７５】
なお、変形例においては、携帯情報装置２００からＭＦＰ１００に送信される遠隔操作指令が、コピー処理を実行させる実行指示の場合を例に説明したが、実行指示を示す遠隔操作指令であれば、ＭＦＰ１００に原稿読取処理の実行を指示する実行指示を示す遠隔操作指令、データ送信処理の実行を指示する実行指示を示す遠隔操作指令、およびデータ記憶処理の実行を指示する実行指示を示す遠隔操作指令であってもよい。この場合は、ＭＦＰ１００は、携帯情報装置２００から実行指示を示す遠隔操作指令が受信されることに応じて、携帯情報装置２００のフラッシュメモリ２０３に記憶された画像データを取得し、取得された画像データを処理対象として、遠隔操作指令によって定まる処理を実行する。
以上説明したように、本実施の形態における画像処理システム１は、携帯情報装置２００のＣＰＵ２０１が撮像制御プログラムを実行することによりカメラ２０２を制御するタスクとして撮像制御部２５１が形成され、遠隔操作プログラムを実行することによりＭＦＰ１００，１０１，１０２のいずれかを遠隔操作するタスクとして遠隔操作部２５３が形成され、ＭＦＰ１００，１０１，１０２のいずれか、例えばＭＦＰ１００のＣＰＵ１１１が遠隔制御プログラムを実行することにより、携帯情報装置２００から受信される遠隔操作指令に従って、原稿読取部１３０、画像形成部１４０、通信Ｉ／Ｆ部１１２、ＨＤＤ１１５等のハードウェア資源を制御する遠隔制御部５３が形成される。携帯情報装置２００は、遠隔操作部２５３は、ＭＦＰ１００，１０１，１０２のいずれかを遠隔操作する遠隔操作状態であって、撮像制御部２５１が起動している場合、撮像制御部２５１と連携する連携状態であることをＭＦＰ１００，１０１，１０２のうち遠隔操作の対象となる装置に通知し、撮像制御部２５１は、遠隔操作部２５３は、ＭＦＰ１００，１０１，１０２のいずれかを遠隔操作する遠隔操作状態の間は、カメラ２０２が被写体を撮像して出力する画像データを遠隔操作の対象となるＭＦＰ１００に送信する。一方、遠隔操作の対象となるＭＦＰ１００は、携帯情報装置２００から連携状態が通知された後は、ハードウェア資源に入力するデータの入力ソースを携帯情報装置２００とする外部入力モードに入力モードを切り換える。このため、ユーザーが携帯情報装置２００に撮像を指示すれば、携帯情報装置２００で被写体を撮像した画像データを、遠隔操作の対象となるＭＦＰ１００によって処理させることができる。その結果、携帯情報装置２００とＭＦＰ１００，１０１，１０２のいずれかとを連携させて処理させる操作を容易にすることができる。
【０１７６】
また、携帯情報装置２００は、遠隔操作の対象となるＭＦＰ１００に処理を実行させる実行指示を受け付ける場合、カメラ２０２に被写体を撮像させ、カメラ２０２が出力する画像データをＭＦＰ１００に送信する。このため、ユーザーは、ＭＦＰ１００に処理を実行させる遠隔操作を携帯情報装置２００に入力すれば、カメラ２０２で被写体を撮像して得られる画像データをＭＦＰ１００に処理させることができる。
【０１７７】
具体的には、携帯情報装置２００は、遠隔操作の対象となるＭＦＰ１００にコピー処理をＭＦＰ１００に実行させるコピー開始指示を受け付ける場合、カメラ２０２に被写体を撮像させ、カメラ２０２が出力する画像データをＭＦＰ１００に送信する。一方、ＭＦＰ１００は、コピー開始指示を示す遠隔操作指令が受信されると、携帯情報装置２００から受信される画像データの画像を形成する。このため、ユーザーは、ＭＦＰ１００にコピー処理を実行させる操作を携帯情報装置２００に入力すれば、カメラ２０２で被写体を撮像して得られる画像データをＭＦＰ１００で画像形成させることができる。
【０１７８】
また、遠隔操作の対象となるＭＦＰ１００は、入力モードを外部入力モードに切り換えている間は、携帯情報装置２００から受信される遠隔操作指令がコピー開始指示の場合、原稿読取部１３０に原稿を読み取らせることなく携帯情報装置２００から受信される画像データの画像を画像形成部１４０に画像形成させる。このため、画像形成部１４０を制御するプログラムを変更する必要がない。
【０１７９】
また、携帯情報装置２００は、連携画面３２１の撮像操作画面３０１Ａに含まれるシャッターボタン３０５が指示されると、カメラ２０２で被写体を撮像して得られる画像データを遠隔操作の対象となるＭＦＰ１００に送信する。一方、遠隔操作の対象となるＭＦＰ１００は、入力モードを外部入力モードに切り換えている間は、携帯情報装置２００から画像データが受信されることに応じて、画像データを処理する。このため、ユーザーは、シャッターボタン３０５指示すれば、カメラ２０２で被写体を撮像して得られる画像データを遠隔操作の対象となるＭＦＰ１００に処理させることができる。
【０１８０】
また、携帯情報装置２００は、遠隔操作画面３１１と撮像操作画面３０１とを並べて配置した連携画面３２１を表示するので、携帯情報装置２００と遠隔操作の対象となるＭＦＰ１００とを１つの画面で操作することができる。
【０１８１】
また、携帯情報装置２００は、カメラ２０２によって撮像されることに応じて、カメラ２０２が出力する画像データを遠隔操作の対象となるＭＦＰ１００に送信する。このため、ユーザーは、携帯情報装置２００に撮像させる操作を入力するだけで、ＭＦＰ１００に画像データを処理させることができる。
【０１８２】
また、変形例における画像処理システム１において、携帯情報装置２００は、カメラ２０２によって撮像されることに応じて、カメラ２０２が出力する画像データをフラッシュメモリ２０３に一時記憶するとともに、遠隔操作の対象となるＭＦＰ１００にコピー処理を実行させるコピー開始指示を示す遠隔操作指令を送信する。ＭＦＰ１００は、コピー開始指示を示す遠隔操作指令が受信すると、携帯情報装置２００のフラッシュメモリ２０３に記憶された画像データを取得し、画像データの画像を形成する。このため、ユーザーは、携帯情報装置２００に撮像させる操作を入力するだけで、ＭＦＰ１００に画像データの画像を形成させることができる。
【０１８３】
なお、上述した実施の形態においては、画像処理システム１について説明したが、図１０または図１６に示した遠隔制御処理を、ＭＦＰ１００，１０１，１０２に実行させ、図１１および図１２、または図１７および図１８に示した遠隔操作処理、および図１３または図１９に示した撮像制御処理を携帯情報装置に実行させる連携方法として、または、遠隔制御処理をＭＦＰ１００，１０１，１０２それぞれが備えるＣＰＵ１１１に実行させる遠隔制御プログラム、連携方法を携帯情報装置２００が備えるＣＰＵ２０１に実行させる連携プログラムとして、発明を特定することができるのは言うまでもない。
【０１８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１８５】
＜付記＞
（１）  前記遠隔操作ステップは、前記画像処理装置に連携状態であることを通知した後は、前記画像処理手段に処理を実行させる実行指示を受け付ける場合、前記撮像手段による撮影を指示する撮像指令を出力する撮像指令出力ステップを含み、
前記撮像制御ステップは、前記撮像指令が出力されることに応じて、前記撮像手段に被写体を撮像させるステップを含む、請求項１７に記載の遠隔操作方法。
（２）  前記画像処理装置は、原稿を読み取って画像データを出力する原稿読取手段と、
画像データの画像を形成する画像形成手段と、をさらに備え、
前記実行指示は、前記原稿読取手段が原稿を読み取って出力する画像データの画像を前記画像形成手段に画像形成させるコピー処理を前記画像処理装置に実行させるコピー開始指示を含む、（１）に記載の遠隔操作方法。
（３）  前記遠隔制御ステップは、前記入力モードを前記外部入力モードでない内部入力モードに切り換えている間は、前記携帯情報装置から受信される遠隔操作指令が前記コピー開始指示の場合、前記原稿読取手段に原稿を読み取らせ、前記画像形成手段に前記原稿読取手段が原稿を読み取って出力する画像データの画像を形成させるステップと、
前記入力モードを前記外部入力モードに切り換えている間は、前記携帯情報装置から受信される遠隔操作指令が前記コピー開始指示の場合、前記原稿読取手段に原稿を読み取らせることなく前記携帯情報装置から受信される画像データの画像を前記画像形成手段に形成させるステップと、を含む（２）に記載の遠隔操作方法。
（４）  前記撮像制御ステップは、ユーザーにより入力される撮像指示を受け付ける撮像指示受付ステップと、
前記撮像指示が受け付けられることに応じて、前記撮像手段に被写体を撮像させるステップと、を含む、請求項１７に記載の遠隔操作方法。
（５）  前記遠隔制御ステップは、前記入力モードを前記外部入力モードに切り換えている間は、前記携帯情報装置から画像データが受信されることに応じて、前記受信された画像データを前記画像処理手段に処理させるステップを、含む（４）に記載の遠隔操作方法。
（６）  前記撮像制御ステップは、ユーザーが前記撮像手段を操作するための撮像操作画面を表示する撮像操作画面表示ステップを含み、
前記遠隔操作ステップは、前記画像処理装置を遠隔操作するための遠隔操作画面を表示する遠隔操作画面表示ステップと、
前記画像処理装置に連携状態であることを通知した後は、前記遠隔操作画面と前記撮像操作画面とを並べて表示する連携操作画面表示ステップと、を含む、請求項１７、（１）〜（５）のいずれかに記載の遠隔操作方法。
（７）  前記送信ステップは、前記撮像手段が被写体を撮像して画像データを出力することに応じて、前記画像データを前記画像処理装置に送信するステップを含む、請求項１７、（１）〜（６）のいずれかに記載の遠隔操作方法。
（８）  前記撮像制御ステップは、前記撮像手段が被写体を撮像して出力する画像データを記憶手段に記憶するステップを含み、
前記遠隔操作ステップは、前記連携状態において、前記撮像手段より被写体が撮像されることに応じて、前記画像処理装置に処理を実行させる実行指示を示す遠隔操作指令を送信するステップを含み、
前記遠隔制御ステップは、前記連携状態が通知された後は、前記実行指示を示す遠隔操作指令が受信されると、前記携帯情報装置の前記記憶手段に記憶された画像データを取得する撮像画像取得ステップを含み、
前記送信ステップは、前記遠隔操作ステップにおいて前記画像処理装置を遠隔制御している間は、前記画像形成装置からの要求に応じて、前記記憶手段に記憶された画像データを前記画像処理装置に送信するステップを含む、請求項１７、（１）〜（７）のいずれかに記載の遠隔操作方法。
（９）  前記遠隔操作ステップは、前記画像処理装置に連携状態であることを通知した後は、前記画像処理手段に処理を実行させる実行指示を受け付ける場合、前記撮像手段による撮影を指示する撮像指令を出力する撮像指令出力ステップを含み、
前記撮像制御ステップは、前記撮像指令が出力されることに応じて、前記撮像手段に被写体を撮像させるステップを含む、請求項１８に記載の遠隔操作方法。
（１０）  前記画像処理装置は、原稿を読み取って画像データを出力する原稿読取手段と、
画像データの画像を形成する画像形成手段と、をさらに備え、
前記実行指示は、前記原稿読取手段が原稿を読み取って出力する画像データの画像を前記画像形成手段に画像形成させるコピー処理を前記画像処理装置に実行させるコピー開始指示を含む、請求項（９）に記載の遠隔操作方法。
（１１）  前記撮像制御ステップは、ユーザーにより入力される撮像指示を受け付ける撮像指示受付ステップと、
前記撮像指示が受け付けられることに応じて、前記撮像手段に被写体を撮像させるステップと、を含む、請求項１８に記載の遠隔操作方法。
（１２）  前記撮像制御ステップは、ユーザーが前記撮像手段を操作するための撮像操作画面を表示する撮像操作画面表示ステップを含み、
前記遠隔操作ステップは、前記画像処理装置を遠隔操作するための遠隔操作画面を表示する遠隔操作画面表示ステップと、
前記画像処理装置に連携状態であることを通知した後は、前記遠隔操作画面と前記撮像操作画面とを並べて表示する連携操作画面表示ステップと、を含む、請求項１８、（９）〜（１１）のいずれかに記載の遠隔操作方法。
（１３）  前記送信ステップは、前記撮像手段が被写体を撮像して画像データを出力することに応じて、前記画像データを前記画像処理装置に送信するステップを含む、請求項１８、（９）〜（１２）のいずれかに記載の遠隔操作方法。
（１４）  前記撮像制御ステップは、前記撮像手段が被写体を撮像して出力する画像データを記憶手段に記憶するステップを含み、
前記遠隔操作ステップは、前記連携状態において、前記撮像手段より被写体が撮像されることに応じて、前記画像処理装置に処理を実行させる実行指示を示す遠隔操作指令を送信するステップを含み、
前記送信ステップは、前記遠隔操作ステップにおいて前記画像処理装置を遠隔制御している間は、前記画像形成装置からの要求に応じて、前記記憶手段に記憶された画像データを前記画像処理装置に送信するステップを含む、請求項１８、（１）〜（１２）のいずれかに記載の遠隔操作方法。
【符号の説明】
【０１８６】
１  画像処理システム、１００，１０１，１０２  ＭＦＰ、１０５  ＰＣ、２００  携帯情報装置、３００  無線局、２  ネットワーク、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１１８  ＣＤ−ＲＯＭ、１２０  自動原稿搬送装置、１３０  原稿読取部、１４０  画像形成部、１５０  給紙部、１６０  操作パネル、１６１  表示部、１６３  操作部、１６５  タッチパネル、１６７  ハードキー部、２００  携帯情報装置、２０１  ＣＰＵ、２０２  カメラ、２０３  フラッシュメモリ、２０４  無線通信部、２０５  通話部、２０６  表示部、２０７  操作部、２０８  無線ＬＡＮＩ／Ｆ、５１  画像処理部、５３，５３Ａ  遠隔制御部、６１  画像形成制御部、６３  原稿読取制御部、６５  通信制御部、６７  記憶制御部、７１，７１Ａ  遠隔操作受信部、７３  連携通知受信部、７５  入力モード切換部、７７  撮像画像受信部、７７Ａ  撮像画像取得部、２５１  撮像制御部、２５３，２５３Ａ  遠隔操作部、２６１  第１連携検出部、２６３  送信部、２６５，２６５Ａ  撮像指示受付部、２６７  撮像画面表示部、２７１  第２連携検出部、２７３  撮像指令出力部、２７５，２７５Ａ  遠隔操作受付部、２７７  連携通知部、２７９  遠隔操作画面表示部、２８１  連携画面表示部、３００  無線局、３０１，３０１Ａ  撮像操作画面、３０３  領域、３０５  シャッターボタン、３１１  遠隔操作画面、３１１Ａ  領域、３１１Ａ  遠隔操作画面、３１５  スタートボタン、３１７  中止ボタン。
【図１】
2014064151.tif 000003
【図２】
2014064151.tif 000004
【図３】
2014064151.tif 000005
【図４】
2014064151.tif 000006
【図５】
2014064151.tif 000007
【図６】
2014064151.tif 000008
【図７】
2014064151.tif 000009
【図８】
2014064151.tif 000010
【図９】
2014064151.tif 000011
【図１０】
2014064151.tif 000012
【図１１】
2014064151.tif 000013
【図１２】
2014064151.tif 000014
【図１３】
2014064151.tif 000015
【図１４】
2014064151.tif 000016
【図１５】
2014064151.tif 000017
【図１６】
2014064151.tif 000018
【図１７】
2014064151.tif 000019
【図１８】
2014064151.tif 000020
【図１９】
2014064151.tif 000021
【手続補正書】
【提出日】平成25年7月4日(2013.7.4)
【手続補正１】
【補正対象書類名】明細書
【補正対象項目名】０００２
【補正方法】変更
【補正の内容】
【０００２】
従来、カメラで撮影した画像を、プリンタでプリントする場合、カメラで被写体を撮像して得られた画像データを記憶し、その後、カメラに記憶された画像データをプリンタに送信し、プリンタでプリントする手順が必要であった。例えば、特開平１０−１０７９８１号公報には、プリンタに接続されたカメラを、プリンタから遠隔操作する技術が記載されている。
【手続補正２】
【補正対象書類名】明細書
【補正対象項目名】０００３
【補正方法】変更
【補正の内容】
【０００３】
しかしながら、カメラで被写体を撮影する操作と、撮影された画像をプリントする操作とを、別々にしなければならず、作業が煩雑になるといった問題がある。
【特許文献１】特開平１０−１０７９８１号公報